(57)【要約】【課題】高い変倍比と広い画角を有し、広角端におけるＦナンバーが小さく諸収差が良好に補正された変倍光学系及びそれを備えた撮像装置を提供する。【解決手段】変倍光学系は、物体側から順に正の屈折力を有する第１レンズ群と、負の屈折力を有する第２レンズ群と、正の屈折力を有する第３レンズ群と、像側レンズ群と、を有し、像側レンズ群は、第１領域に属するレンズと、第２領域に属するレンズと、で構成され、変倍時に、第２レンズ群と第３レンズ群は移動する。【選択図】図１
2017187629.tif 000002
【特許請求の範囲】
【請求項１】
物体側から順に
正の屈折力を有する第１レンズ群と、
負の屈折力を有する第２レンズ群と、
正の屈折力を有する第３レンズ群と、
像側レンズ群と、を有し、
前記像側レンズ群は、第１領域に属するレンズと、第２領域に属するレンズと、で構成され、
前記第１領域に属する全てのレンズに基づく屈折力は負の屈折力で、前記第２領域に属する全てのレンズに基づく屈折力は正の屈折力であり、
変倍時に、
各レンズ群の間隔は変化し、
前記第１レンズ群と開口絞りは固定であり、
広角端より望遠端で、前記第１レンズ群と前記第２レンズ群との間が広がるように、前記第２レンズ群が移動し、  前記第３レンズ群は移動し、
前記第３レンズ群は、正レンズと負レンズとを有し、
以下の条件式（１−１）、（４−２）を満足することを特徴とする変倍光学系。
１．５２≦｜ｆG2／ｆw｜≦１０．０      （１−１）
３．１≦ｆG1／ｆw≦５０      （４−２）
ここで、
ｆG1は、第１レンズ群の焦点距離、
ｆG2は、前記第２レンズ群の焦点距離、
ｆwは、広角端における前記変倍光学系の焦点距離、
である。
【請求項２】
物体側から順に
正の屈折力を有する第１レンズ群と、
負の屈折力を有する第２レンズ群と、
正の屈折力を有する第３レンズ群と、
像側レンズ群と、を有し、
前記像側レンズ群は、第１領域に属するレンズと、第２領域に属するレンズと、で構成され、
前記第１領域に属する全てのレンズに基づく屈折力は負の屈折力で、前記第２領域に属する全てのレンズに基づく屈折力は正の屈折力であり、
変倍時に、
各レンズ群の間隔は変化し、
前記第１レンズ群と開口絞りは固定であり、
広角端より望遠端で、前記第１レンズ群と前記第２レンズ群との間が広がるように、前記第２レンズ群が移動し、
前記第３レンズ群は移動し、
前記第３レンズ群は、正レンズと負レンズとを有し、
以下の条件式（１−１）、（７）、（３２）を満足することを特徴とする変倍光学系。
１．５２≦｜ｆG2／ｆw｜≦１０．０      （１−１）
１．７≦｜ｆG1／ｆG2｜≦９．１      （７）
０．０４≦ΣG1／ＬＴＬw≦０．３５      （３２）
ここで、
ｆG1は、第１レンズ群の焦点距離、
ｆG2は、前記第２レンズ群の焦点距離、
ｆwは、広角端における前記変倍光学系の焦点距離、
ΣG1は、第１レンズ群の厚み、
ＬＴＬwは、広角端における変倍光学系の全長、
である。
【請求項３】
物体側から順に
正の屈折力を有する第１レンズ群と、
負の屈折力を有する第２レンズ群と、
正の屈折力を有する第３レンズ群と、
像側レンズ群と、を有し、
前記像側レンズ群は、第１領域に属するレンズと、第２領域に属するレンズと、で構成され、
前記第１領域に属する全てのレンズに基づく屈折力は負の屈折力で、前記第２領域に属する全てのレンズに基づく屈折力は正の屈折力であり、
変倍時に、
各レンズ群の間隔は変化し、
広角端より望遠端で、前記第１レンズ群と前記第２レンズ群との間が広がるように、前記第２レンズ群が移動し、
前記第１レンズ群は固定であり、
前記第３レンズ群は移動し、
開口絞りは、一方向のみに移動するか、或いは、固定であり、
前記第１レンズ群は、負レンズと正レンズとを有し、
前記第１レンズ群の前記正レンズは、物体側に凸面を向けた正メニスカスレンズであり、
前記第３レンズ群は、正レンズと負レンズを有し、
以下の条件式（１−３）を満足することを特徴とする変倍光学系。
１．６０≦｜ｆG2／ｆw｜≦１０．０      （１−３）
ここで、
ｆG2は、前記第２レンズ群の焦点距離、
ｆwは、広角端における前記変倍光学系の焦点距離、
である。
【請求項４】
物体側から順に
正の屈折力を有する第１レンズ群と、
負の屈折力を有する第２レンズ群と、
正の屈折力を有する第３レンズ群と、
像側レンズ群と、を有し、
前記像側レンズ群は、第１領域に属するレンズと、第２領域に属するレンズと、で構成され、
前記第１領域に属する全てのレンズに基づく屈折力は負の屈折力で、前記第２領域に属する全てのレンズに基づく屈折力は正の屈折力であり、
変倍時に、
各レンズ群の間隔は変化し、
広角端より望遠端で、前記第１レンズ群と前記第２レンズ群との間が広がるように、前記第２レンズ群が移動し、
前記第１レンズ群は固定であり、
前記第３レンズ群は移動し、
開口絞りは、一方向のみに移動するか、或いは、固定であり、
前記第３レンズ群は、正レンズと負レンズを有し、
以下の条件式（４−１）を満足することを特徴とする変倍光学系。
８．７≦ｆG1／ｆw≦５０      （４−１）
ここで、
ｆG1は、前記第１レンズ群の焦点距離、
ｆwは、広角端における前記変倍光学系の焦点距離、
である。
【請求項５】
以下の条件式（２−２）を満足することを特徴とする請求項１から４のいずれか一項に記載の変倍光学系。
０≦ΔSS／ＬＴＬw≦０．１１      （２−２）
ここで、
ΔSSは、変倍時における開口絞りの移動量の最大値、
ＬＴＬwは、広角端における前記変倍光学系の全長、
である。
【請求項６】
以下の条件式（１−１）を満足することを特徴とする請求項１から５のいずれか一項に記載の変倍光学系。
１．５２≦｜ｆG2／ｆw｜≦１０．０      （１−１）
ここで、
ｆG2は、前記第２レンズ群の焦点距離、
ｆwは、広角端における前記変倍光学系の焦点距離、
である。
【請求項７】
以下の条件式（３）を満足することを特徴とする請求項１から６のいずれか一項に記載の変倍光学系。
−０．０６７≦ｆG2×ＰG1G2a≦０．２０７      （３）
ここで、
ｆG2は、前記第２レンズ群の焦点距離、
ＰG1G2aは、以下の式で表され、
ＰG1G2a＝１／ＲG1B−１／ＲG2F、
ＲG1Bは、前記第１レンズ群の最も像側に位置するレンズ面の曲率半径、
ＲG2Fは、前記第２レンズ群の最も物体側に位置するレンズ面の曲率半径、
である。
【請求項８】
以下の条件式（５）を満足することを特徴とする請求項１から７のいずれか一項に記載の変倍光学系。
−０．２０≦（ＬＴＬt−ＬＴＬw）／ＬＴＬw≦０．４６      （５）
ここで、
ＬＴＬtは、望遠端における前記変倍光学系の全長、
ＬＴＬwは、広角端における前記変倍光学系の全長、
である。
【請求項９】
以下の条件式（４−２）を満足することを特徴とする請求項１から８のいずれか一項に記載の変倍光学系。
３．１≦ｆG1／ｆw≦５０      （４−２）
ここで、
ｆG1は、前記第１レンズ群の焦点距離、
ｆwは、広角端における前記変倍光学系の焦点距離、
である。
【請求項１０】
以下の条件式（６）を満足することを特徴とする請求項１から９のいずれか一項に記載の変倍光学系。
０．１≦ｆG1／ｆt≦３．０      （６）
ここで、
ｆG1は、前記第１レンズ群の焦点距離、
ｆtは、望遠端における前記変倍光学系の焦点距離、
である。
【請求項１１】
以下の条件式（７）を満足することを特徴とする請求項１から１０のいずれか一項に記載の変倍光学系。
１．７≦｜ｆG1／ｆG2｜≦９．１      （７）
ここで、
ｆG1は、前記第１レンズ群の焦点距離、
ｆG2は、前記第２レンズ群の焦点距離、
である。
【請求項１２】
以下の条件式（８）を満足することを特徴とする請求項１から１１のいずれか一項に記載の変倍光学系。
１．０≦ｆG3／ｆw≦９．０      （８）
ここで、
ｆG1は、前記第３レンズ群の焦点距離、
ｆwは、広角端における前記変倍光学系の焦点距離、
である。
【請求項１３】
以下の条件式（９）を満足することを特徴とする請求項１から１２のいずれか一項に記載の変倍光学系。
−１４％＜ＤＴw＜５％      （９）
ここで、
ＤＴwは、広角端における最大画角での歪曲収差量であって、以下の式で表わされ、
ＤＴw＝（ＩＨw1−ＩＨw2）／ＩＨw2×１００（％）、
ＩＨw1は、前記広角端における最大画角の光線を含む光束が像面に結像するときの実像高、
ＩＨw2は、前記広角端における最大画角の光線を含む光束が像面の結像する近軸像高であって、
いずれも、無限遠物点合焦時の像高、
である。
【請求項１４】
前記第３レンズ群は、以下の条件式（１０）を満足する所定の正レンズを有することを特徴とする請求項１から１３のいずれか一項に記載の変倍光学系。
６３≦νｄG3P1≦１００．０      （１０）
ここで、
νｄG3P1は、前記所定の正レンズのアッベ数、
である。
【請求項１５】
前記第３レンズ群は、第１正レンズと接合レンズとを有し、
前記接合レンズは、負レンズと両凸正レンズとからなるか、又は、正レンズと負レンズとからなると共に、物体側に凸面を向けたメニスカス形状であることを特徴とする請求項１から１４のいずれか一項に記載の変倍光学系。
【請求項１６】
前記第３レンズ群は、第１正レンズと接合レンズとを有し、
前記接合レンズは、前記負レンズと前記正レンズとからなると共に、前記接合レンズの前記正レンズが両凸レンズであるか、又は、前記接合レンズの前記正レンズと前記接合レンズの前記負レンズとからなると共に、物体側に凸面を向けたメニスカス形状であることを特徴とする請求項１から１５のいずれか一項に記載の変倍光学系。
【請求項１７】
変倍時、前記第３レンズ群と前記第１領域に属する全てのレンズとの間隔が変化するように、前記第１領域に属する全てのレンズは移動することを特徴とする請求項１から１６のいずれか一項に記載の変倍光学系。
【請求項１８】
変倍時、前記第３レンズ群と前記第１領域に属する全てのレンズとの間隔が広角端よりも望遠端で広くなるように、前記第１領域に属する全てのレンズは移動することを特徴とする請求項１から１７のいずれか一項に記載の変倍光学系。
【請求項１９】
広角端から望遠端への変倍時、前記第１領域に属する全てのレンズは、物体側に凸の軌跡を描いて移動することを特徴とする請求項１から１８のいずれか一項に記載の変倍光学系。
【請求項２０】
前記第１領域に属する全てのレンズは、変倍時に固定であることを特徴とする請求項１から１６のいずれか一項に記載の変倍光学系。
【請求項２１】
前記第２領域に属する全てのレンズは、変倍時に固定であることを特徴とする請求項１から２０のいずれか一項に記載の変倍光学系。
【請求項２２】
前記第１領域に属する全てのレンズは、合焦時に移動することを特徴とする請求項１から２１のいずれか一項に記載の変倍光学系。
【請求項２３】
１枚の負レンズのみが前記第１領域に属し、合焦時に移動することを特徴とする請求項１から２２のいずれか一項に記載の変倍光学系。
【請求項２４】
前記第１領域に、以下の条件式（１１）を満足する所定の負レンズが配置されていることを特徴とする請求項１から２３のいずれか一項に記載の変倍光学系。
５１．０≦νｄGI1N1≦１００．０      （１１）
ここで、
νｄGI1N1は、前記所定の負レンズのアッベ数、
である。
【請求項２５】
前記第２領域に属する全てのレンズは、第１副レンズ群に属するレンズと第２副レンズ群に属するレンズとに分けられ、
前記第１副レンズ群は、正の屈折力を有し、
前記第２副レンズ群は、負レンズと正レンズとを有することを特徴とする請求項１から２４のいずれか一項に記載の変倍光学系。
【請求項２６】
前記第１副レンズ群は、空気間隔を持たないレンズで構成されていることを特徴とする請求項２５に記載の変倍光学系。
【請求項２７】
前記第２副レンズ群の前記負レンズと前記正レンズは接合されていることを特徴とする請求項２５又は２６に記載の変倍光学系。
【請求項２８】
以下の条件式（１２）を満足することを特徴とする請求項２５から２７のいずれか一項に記載の変倍光学系。
０．１≦ｆGI2SUB1／ｆGI2≦３．０      （１２）
ここで、
ｆGI2SUB1は、前記第１副レンズ群の焦点距離、
ｆGI2は、前記第２領域に属する全てのレンズに基づく焦点距離、
である。
【請求項２９】
以下の条件式（１３）を満足することを特徴とする請求項２５から２８のいずれか一項に記載の変倍光学系。
０．１≦｜ｆGI2SUB1／ｆGI1｜≦３．０      （１３）
ここで、
ｆGI2SUB1は、前記第１副レンズ群の焦点距離、
ｆGI1は、前記第１領域に属する全てのレンズに基づく焦点距離、
である。
【請求項３０】
以下の条件式（１４）を満足することを特徴とする請求項２５から２９のいずれか一項に記載の変倍光学系。
０．０２０≦ＤGI2SUB12a／ｆGI2≦０．５      （１４）
ここで、
ＤGI2SUB12aは、前記第１副レンズ群と前記第２副レンズ群との空気間隔、
ｆGI2は、前記第２領域に属する全てのレンズに基づく焦点距離、
である。
【請求項３１】
以下の条件式（１５）を満足することを特徴とする請求項２５から３０のいずれか一項に記載の変倍光学系。
０．１≦ＤGI2SUB12a／ｆw≦２．０      （１５）
ここで、
ＤGI2SUB12aは、前記第１副レンズ群と前記第２副レンズ群との空気間隔、
ｆwは、広角端における前記変倍光学系の焦点距離、
である。
【請求項３２】
前記第１副レンズ群を光軸と直交する方向に移動させることを特徴とする請求項２５から３１のいずれか一項に記載の変倍光学系。
【請求項３３】
以下の条件式（１６）を満足することを特徴とする請求項２５から３２のいずれか一項に記載の変倍光学系。
０．３＜｜ＭＧGI2SUB1back×（ＭＧGI2SUB1−１）｜＜１．５      （１６）
ここで、
ＭＧGI2SUB1backは、所定の光学系における横倍率、
ＭＧGI2SUB1は、前記第１副レンズ群における横倍率、
前記所定の光学系は、前記第１副レンズ群よりも像側に位置する全てのレンズで構成される光学系、
横倍率は、無限遠物体合焦時の横倍率、
である。
【請求項３４】
前記第１副レンズ群は正レンズを有し、
以下の条件式（１７）を満足することを特徴とする請求項２５から３３のいずれか一項に記載の変倍光学系。
５２≦νｄGI2SUB1P≦１００      （１７）
ここで、
νｄGI2SUB1Pは、前記第１副レンズ群の前記正レンズのアッベ数、
である。
【請求項３５】
第１副レンズ群は、１枚の正レンズからなることを特徴とする請求項２５から３４のいずれか一項に記載の変倍光学系。
【請求項３６】
前記第１副レンズ群は１枚の正レンズで構成され、
前記第２副レンズ群は、１枚の負レンズと１枚の正レンズとで構成されていることを特徴とする請求項２５から３５のいずれか一項に記載の変倍光学系。
【請求項３７】
以下の条件式（１８）を満足することを特徴とする請求項２５から３６のいずれか一項に記載の変倍光学系。
１８．０≦νｄGI2SUB2N≦１００      （１８）
ここで、
νｄGI2SUB2Nは、前記第２副レンズ群の負レンズのアッベ数のうち、最少となるアッベ数、
である。
【請求項３８】
開口絞りが、前記第２レンズ群より像側で、前記第３レンズ群の最も像側面より物体側に配置されていることを特徴とする請求項１から３７のいずれか一項に記載の変倍光学系。
【請求項３９】
開口絞りが、前記第２レンズ群と前記第３レンズ群との間に配置されていることを特徴とする請求項３８に記載の変倍光学系。
【請求項４０】
変倍時に開口絞りは固定であることを特徴とする請求項１から３９のいずれか一項に記載の変倍光学系。
【請求項４１】
変倍時に第１レンズ群が固定であることを特徴とする請求項１から４０のいずれか一項に記載の変倍光学系。
【請求項４２】
以下の条件式（１９）を満足することを特徴とする請求項１から４１のいずれか一項に記載の変倍光学系。
２．０≦ｆG1／ｆG3≦１０．０      （１９）
ここで、
ｆG1は、前記第１レンズ群の焦点距離、
ｆG3は、前記第３レンズ群の焦点距離、
である。
【請求項４３】
以下の条件式（２０）を満足することを特徴とする請求項１から４２のいずれか一項に記載の変倍光学系。
０．５≦｜ｆG3／ｆGI1｜≦２．０      （２０）
ここで、
ｆG3は、前記第３レンズ群の焦点距離、
ｆGI2は、前記第１領域に属する全てのレンズに基づく焦点距離、
である。
【請求項４４】
以下の条件式（２１）を満足することを特徴とする請求項１から４３のいずれか一項に記載の変倍光学系。
０．２０≦ｆG2／ｆGI1≦２．０      （２１）
ここで、
ｆG2は、前記第２レンズ群の焦点距離、
ｆGI1は、前記第１領域に属する全てのレンズに基づく焦点距離、
である。
【請求項４５】
以下の条件式（２２）を満足することを特徴とする請求項１から４４のいずれか一項に記載の変倍光学系。
０．２０≦｜ｆG2／ｆG3｜≦２．０      （２２）
ここで、
ｆG2は、前記第２レンズ群の焦点距離、
ｆG3は、前記第３レンズ群の焦点距離、
である。
【請求項４６】
以下の条件式（２３）を満足することを特徴とする請求項１から４５のいずれか一項に記載の変倍光学系。
０．５≦｜ｆGI1／ｆGI2｜≦２．０      （２３）
ここで、
ｆGI1は、前記第１領域に属する全てのレンズに基づく焦点距離、
ｆGI2は、前記第２領域に属する全てのレンズに基づく焦点距離、
である。
【請求項４７】
前記第３レンズ群は、広角端より望遠端で、物体側に位置するように移動することを特徴とする請求項１から４４のいずれか一項に記載の変倍光学系。
【請求項４８】
前記第１レンズ群は、負レンズと物体側に凸面を向けた正メニスカスレンズとを有することを特徴とする請求項１から４７の何れか一項に記載の変倍光学系。
【請求項４９】
前記第１レンズ群は、１枚の正レンズを更に有することを特徴とする請求項１から４８の何れか一項に記載の変倍光学系。
【請求項５０】
前記第１レンズ群は、負レンズと２枚の正レンズとを有することを特徴とする請求項１から４８の何れか一項に記載の変倍光学系。
【請求項５１】
前記第１レンズ群の前記負レンズと前記第１レンズ群の前記正レンズとは近接して配置され、
以下の条件式（２４）を満足することを特徴とする請求項１から５０の何れか一項に記載の変倍光学系。
−０．１≦ｆG1×ＰG1NPa≦０．２７      （２４）
ここで、
ｆG1は、前記第１レンズ群の焦点距離、
ＰG1NPaは、以下の式で表され、
ＰG1NPa＝１／ＲG1NB−１／ＲG1PF、
ＲG1NBは、前記第１レンズ群の前記負レンズの像側レンズ面の曲率半径、
ＲG1PFは、前記第１レンズ群の前記正レンズの物体側レンズ面の曲率半径、
である。
【請求項５２】
前記第１レンズ群は、物体側から順に、負レンズと正レンズとを有し、
前記第１レンズ群の前記負レンズと前記第１レンズ群の前記正レンズとは近接して配置され、
以下の条件式（２４）を満足することを特徴とする請求項１から５１のいずれか一項に記載の変倍光学系。
−０．１≦ｆG1×ＰG1NPa≦０．２７      （２４）
ここで、
ｆG1は、前記第１レンズ群の焦点距離、
ＰG1NPaは、以下の式で表され、
ＰG1NPa＝１／ＲG1NB−１／ＲG1PF、
ＲG1NBは、前記第１レンズ群の前記負レンズの像側レンズ面の曲率半径、
ＲG1PFは、前記第１レンズ群の前記正レンズの物体側レンズ面の曲率半径、
である。
【請求項５３】
前記第１レンズ群の前記負レンズと前記第１レンズ群の前記正レンズは、接合されていることを特徴とする請求項４９又は５０に記載の変倍光学系。
【請求項５４】
以下の条件式（２５）を満足することを特徴とする請求項２５から３７のいずれか一項に記載の変倍光学系。
２．０≦ｆGI2SUB1／ｆw≦１２      （２５）
ここで、
ｆGI2SUB1は、前記第１副レンズ群の焦点距離、
ｆwは、広角端における前記変倍光学系の焦点距離、
である。
【請求項５５】
以下の条件式（２６）を満足することを特徴とする請求項２５から３７、５４のいずれか一項に記載の変倍光学系。
−１≦ＳＦGI2SUB1≦０．９５      （２６）
ここで、
ＳＦGI2SUB1は、以下の式で表わされ、
ＳＦGI2SUB1＝（ＲGI2SUB1f＋ＲGI2SUB1r）／（ＲGI2SUB1f−ＲGI2SUB1r）、
ＲGI2SUB1fは、前記第１副レンズ群の最も物体側に位置するレンズ面の曲率半径、
ＲGI2SUB1rは、前記第１副レンズ群の最も像側に位置するレンズ面の曲率半径、
である。
【請求項５６】
以下の条件式（２７）を満足することを特徴とする請求項１から５５のいずれか一項に記載の変倍光学系。
０．０３≦ΔG3M／ＬＴＬw≦０．３      （２７）
ここで、
ΔG3Mは、広角端から望遠端まで移動したときの前記第３レンズ群の移動量、
ＬＴＬwは、広角端における前記変倍光学系の全長、
である。
【請求項５７】
前記第３レンズ群は、正レンズと負レンズとを有することを特徴とする請求項１から５６のいずれか一項に記載の変倍光学系。
【請求項５８】
以下の条件式（２８）を満足することを特徴とする請求項１から５７のいずれか一項に記載の変倍光学系。
３３．４°≦ΩHw／２≦７０．０°      （２８）
ここで、
ΩHwは、広角端における水平方向の全画角、
である。
【請求項５９】
以下の条件式（２９）を満足することを特徴とする請求項１から５８のいずれか一項に記載の変倍光学系。
５．０≦ｆt／ｆw≦１２０．０      （２９）
ここで、
ｆtは、望遠端における前記変倍光学系の焦点距離、
ｆwは、広角端における前記変倍光学系の焦点距離、
である。
【請求項６０】
以下の条件式（３０）を満足することを特徴とする請求項１から５９のいずれか一項に記載の変倍光学系。
０．６０≦ＦＮＯw≦２．５      （３０）
ここで、
ＦＮＯwは、広角端におけるＦナンバー、
である。
【請求項６１】
以下の条件式（３１）を満足することを特徴とする請求項１から６０のいずれか一項に記載の変倍光学系。
０．７０≦ＦＮＯt≦５．５      （３１）
ここで、
ＦＮＯtは、望遠端におけるＦナンバー、
である。
【請求項６２】
変倍時、開口絞りは一方向のみに移動するか、或は、固定であることを特徴とする請求項１から６１のいずれか一項に記載の変倍光学系。
【請求項６３】
負レンズと正レンズが前記第２領域に属することを特徴とする請求項１から６２のいずれか一項に記載の変倍光学系。
【請求項６４】
以下の条件式（３２）を満足することを特徴とする請求項１から６３のいずれか一項に記載の変倍光学系。
０．０４≦ΣG1／ＬＴＬw≦０．３５      （３２）
ここで、
ΣG1は、前記第１レンズ群の厚み、
ＬＴＬwは、広角端における前記変倍光学系の全長、
である。
【請求項６５】
以下の条件式（３３）を満足することを特徴とする請求項１から６４のいずれか一項に記載の変倍光学系。
０．０≦ｆt／ｆw＋１４３．９×ｔａｎ（ΩHw／２）−１２１．８８≦１１０      （３３）
ここで、
ｆwは、広角端における前記変倍光学系の焦点距離、
ｆtは、望遠端における前記変倍光学系の焦点距離、
ΩHwは、広角端における水平方向の全画角、
である。
【請求項６６】
以下の条件式（３４）を満足することを特徴とする請求項１から６５のいずれか一項に記載の変倍光学系。
０．０≦ｆt／ｆw＋１２６．５２×ｔａｎ（ΩHw／２）−１０１．９１≦１２０      （３４）
ここで、
ｆwは、広角端における前記変倍光学系の焦点距離、
ｆtは、望遠端における前記変倍光学系の焦点距離、
ΩHwは、広角端における水平方向の全画角、
である。
【請求項６７】
変倍時に、前記第３レンズ群は移動することを特徴とする請求項１から６６のいずれか一項に記載の変倍光学系。
【請求項６８】
光学系と、
撮像面を持ち且つ前記光学系により撮像面上に形成された像を電気信号に変換する撮像素子と、を有し、
前記光学系が請求項１から６７のいずれか一項に記載の変倍光学系であることを特徴とする撮像装置。
【請求項６９】
以下の条件式（３５）を満足することを特徴とする請求項６８に記載の撮像装置。
２．５ｍｍ≦Ｒimg≦２２．０ｍｍ      （３５）
ここで、
Ｒimgは、前記撮像素子におけるイメージサークルの半径、
である。
【発明の詳細な説明】
【技術分野】
【０００１】
本発明は、変倍光学系及びそれを備えた撮像装置に関する。
【背景技術】
【０００２】
近年、撮像光学系は、デジタルカメラ、ビデオカメラ、監視用カメラ及びテレビ会議システムのカメラ等など、広範囲の分野で使用されている。
【０００３】
このような撮像光学系には、変倍光学系が用いられる。変倍光学系として、特許文献１、特許文献２及び特許文献３に開示された変倍光学系がある。これらの変倍光学系は、物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、を有する。
【先行技術文献】
【特許文献】
【０００４】
【特許文献１】特開２０１２−１１３２８５号公報
【特許文献２】特開２０１１−２２１５５４号公報
【特許文献３】特開２００１−３５００９３号公報
【発明の概要】
【発明が解決しようとする課題】
【０００５】
しかしながら、特許文献１〜３では、高い変倍比および広角端での広い画角の確保と、諸収差の低減とを同時に満足していなかった。
【０００６】
本発明は、このような課題に鑑みてなされたものであって、高い変倍比と広角端での広い画角を有し、諸収差が補正された変倍光学系及びそれを備えた撮像装置を提供することを目的とするものである。
【課題を解決するための手段】
【０００７】
上述した課題を解決し、目的を達成するために、本発明の変倍光学系は、
物体側から順に
正の屈折力を有する第１レンズ群と、
負の屈折力を有する第２レンズ群と、
正の屈折力を有する第３レンズ群と、
像側レンズ群と、を有し、
像側レンズ群は、第１領域に属するレンズと、第２領域に属するレンズと、で構成され、
第１領域に属する全てのレンズに基づく屈折力は負の屈折力で、第２領域に属する全てのレンズに基づく屈折力は正の屈折力であり、
変倍時に、
各レンズ群の間隔は変化し、
広角端より望遠端で、第１レンズ群と第２レンズ群との間が広がるように、第２レンズ群が移動することを特徴とする。
【０００８】
また、本発明の撮像装置は、
光学系と、
撮像面を持ち且つ光学系により撮像面上に形成された像を電気信号に変換する撮像素子と、を有し、
光学系が上述の変倍光学系のいずれかであることを特徴とする。
【発明の効果】
【０００９】
本発明によれば、高い変倍比と広い画角を有し、広角端におけるＦナンバーが小さく諸収差が補正された変倍光学系及びそれを備えた撮像装置を提供することができる。
【図面の簡単な説明】
【００１０】
【図１】実施例１の変倍光学系のレンズ断面図である。
【図２】実施例２の変倍光学系のレンズ断面図である。
【図３】実施例３の変倍光学系のレンズ断面図である。
【図４】実施例４の変倍光学系のレンズ断面図である。
【図５】実施例５の変倍光学系のレンズ断面図である。
【図６】実施例６の変倍光学系のレンズ断面図である。
【図７】実施例７の変倍光学系のレンズ断面図である。
【図８】実施例８の変倍光学系のレンズ断面図である。
【図９】実施例９の変倍光学系のレンズ断面図である。
【図１０】実施例１０の変倍光学系のレンズ断面図である。
【図１１】実施例１１の変倍光学系のレンズ断面図である。
【図１２】実施例１２の変倍光学系のレンズ断面図である。
【図１３】実施例１３の変倍光学系のレンズ断面図である。
【図１４】実施例１４の変倍光学系のレンズ断面図である。
【図１５】実施例１の変倍光学系の収差図である。
【図１６】実施例２の変倍光学系の収差図である。
【図１７】実施例３の変倍光学系の収差図である。
【図１８】実施例４の変倍光学系の収差図である。
【図１９】実施例５の変倍光学系の収差図である。
【図２０】実施例６の変倍光学系の収差図である。
【図２１】実施例７の変倍光学系の収差図である。
【図２２】実施例８の変倍光学系の収差図である。
【図２３】実施例９の変倍光学系の収差図である。
【図２４】実施例１０の変倍光学系の収差図である。
【図２５】実施例１１の変倍光学系の収差図である。
【図２６】実施例１２の変倍光学系の収差図である。
【図２７】実施例１３の変倍光学系の収差図である。
【図２８】実施例１４の変倍光学系の収差図である。
【図２９】撮像装置の断面図である。
【図３０】撮像装置の前方斜視図である。
【図３１】撮像装置の後方斜視図である。
【図３２】撮像装置の主要部の内部回路の構成ブロック図である。
【図３３】テレビ会議システムの構成を示す図である。
【発明を実施するための形態】
【００１１】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１２】
以下の説明において、「補正されている」とは、収差補正に関しては、収差量が、許容値以下になっていることを意味している。また、手ブレ補正に関しては、手ブレによって生じた像のブレ量が、許容値以下になっていることを意味している。
【００１３】
第１実施形態の変倍光学系から第４実施形態の変倍光学系（以下、「本実施形態の変倍光学系」という）の基本構成について説明する。なお、同様な構成の技術的意義が既述された場合には、説明を省略する。また、条件式の技術的意義については、例えば、条件式（１−１）の技術的意義と、条件式（１−＊）（＊は別の数字）の技術的意義と同様であるため、条件式（１−＊）の技術的意義については説明を省略する。
【００１４】
本実施形態の変倍光学系の基本構成は、物体側から順に、正の屈折力を有する第１レンズ群と、負の屈折力を有する第２レンズ群と、正の屈折力を有する第３レンズ群と、像側レンズ群と、を有し、像側レンズ群は、第１領域に属するレンズと、第２領域に属するレンズと、で構成され、第１領域に属する全てのレンズに基づく屈折力は負の屈折力で、第２領域に属する全てのレンズに基づく屈折力は正の屈折力であり、変倍時に、各レンズ群の間隔は変化でき、広角端より望遠端で、第１レンズ群と第２レンズ群との間が広がるように、第２レンズ群は移動できる。
【００１５】
像側レンズ群には、複数のレンズが配置されている。レンズが配置されている空間は、２つの空間に分けることができる。そこで、一方の空間を第１の領域とし、他方の空間を第２の領域としている。第１の領域と第２の領域の各々には、少なくとも１つのレンズが属している。
【００１６】
第１領域に属する全てのレンズに基づく屈折力は、負の屈折力である。第１領域に属する全てのレンズを１つのレンズ群とみなすと、当該レンズ群の屈折力は負の屈折力になる。第１領域に属するレンズの数は、１つ又は複数にすることができる。
【００１７】
第１領域に属するレンズの数が１つの場合、第１領域に属する全てのレンズに基づく屈折力は、この１つのレンズの屈折力と等しい。第１領域に属するレンズの数が複数の場合、第１領域に属する全てのレンズに基づく屈折力は、複数のレンズの屈折力を合成したものと等しい。
【００１８】
第２領域に属する全てのレンズに基づく屈折力は、正の屈折力である。第２領域に属する全てのレンズを１つのレンズ群とみなすと、当該レンズ群の屈折力は正の屈折力になる。第２領域に属するレンズの数は、１つ又は複数にすることができる。
【００１９】
第２領域に属するレンズの数が１つの場合、第２領域に属する全てのレンズに基づく屈折力は、この１つのレンズの屈折力と等しい。第２領域に属するレンズの数が複数の場合、第２領域に属する全てのレンズに基づく屈折力は、複数のレンズの屈折力を合成したものと等しい。
【００２０】
基本構成では、第１レンズ群、第２レンズ群、第３レンズ群、第１領域に属する全てのレンズ及び第２領域に属する全てのレンズで、光学系を構成できる。この場合、屈折力の並びを、正の屈折力、負の屈折力、正の屈折力、負の屈折力及び正の屈折力にすることができる。そのため、基本構成では、第３レンズ群を中心として屈折力の並びが対称になる。その結果、光学系の全長を短縮しつつ、広角端における広い画角の確保と高い変倍比の確保とが可能になる。
【００２１】
ここでは、例えば、半画角が３３度を越える場合を、広い画角という。また、例えば、変倍比が５倍を超えるような場合を、高い変倍比という。ただし、この値に限定されない。
【００２２】
基本構成では、変倍域の広い範囲で屈折力の並びが略対称又は対称になっている。そのため、光学系の全長の短縮化と、変倍域の広い範囲での収差補正とが可能になる。収差補正については、主に、変倍域の広い範囲で、像面湾曲やコマ収差を補正することが可能になる。
【００２３】
光学系のなかでは、第１レンズ群の径が最大となる。変倍光学系に上述の基本構成を用いると、第１領域に属する全てのレンズに基づく屈折力が負の屈折力で、第２領域に属する全てのレンズに基づく屈折力が正の屈折力なので、この２つの領域に属する全てのレンズで拡大光学系を構成することができる。その結果、第１レンズ群の小径化が可能になる。
【００２４】
変倍時に各レンズ群の間隔を変化させることで、広い画角と高い変倍比を備える光学系において、光学系の小型化と良好な結像性能の確保とが可能となる。
【００２５】
第１実施形態の変倍光学系について説明する。第１実施形態の変倍光学系は、上述の基本構成を備えると共に、変倍時に、第１レンズ群と開口絞りは固定でき、第３レンズ群が移動可能であり、第３レンズ群は、正レンズと負レンズとを有し、以下の条件式（１−１）を満足することを特徴とする。
１．５２≦｜ｆG2／ｆw｜≦１０．０      （１−１）
３．１≦ｆG1／ｆw≦５０      （４−２）
ここで、
ｆG1は、第１レンズ群の焦点距離、
ｆG2は、第２レンズ群の焦点距離、
ｆwは、広角端における変倍光学系の焦点距離、
である。
【００２６】
変倍時に第３レンズ群が移動可能になることで、第３レンズ群による変倍作用を大きくできる。その結果、高い変倍比の確保が容易となる。
【００２７】
Ｆナンバーを小さくすると、フレアが発生しやすい。変倍時、開口絞りの位置を固定できると、Ｆナンバーを変化させた時の誤差を減らすことができる。その結果、フレアの発生を軽減できる。
【００２８】
変倍時に第１レンズ群が移動すると、光学系全体の重心位置が変化し得る。光学系全体の重心位置が変化すると、撮影時の姿勢が変倍前の姿勢から変化する場合がある。このように、変倍時に第１レンズ群が移動すると、一定の姿勢で撮影することが難しくなる場合がある。
【００２９】
変倍時に第1レンズ群を動かないようにすると、撮影時の姿勢の変化を少なくして変倍を行うことができる。また、外観上、鏡筒に可動する部分が存在しなくなる。よって、本実施形態の変倍光学系と鏡筒を用いて光学ユニットを構成すると、耐久性、防塵性及び防水性がより高い光学ユニットを構成できる。例えば、この光学ユニットを監視カメラに用いると、監視カメラを長期間屋外に設置し得る。
【００３０】
変倍比を高めると共に、Ｆナンバーを小さくするためには、結像に寄与する波長域の広い範囲で、球面収差を補正するのが良い。開口絞りの近くに位置する第３レンズ群は、球面収差に対して大きく関与し得る。そこで、第３レンズ群に正レンズと負レンズを少なくとも使用できると、球面収差が補正できる。球面収差が補正されていると、後述するように、例えば、第３レンズ群で手ブレ補正ができる。
【００３１】
条件式（１−１）の下限値を上回ると、第１レンズ群から第２レンズ群に入射する光線の角度が、軸外光線で大きくなりすぎることを防ぐことができる。その結果、第１レンズ群を小径化できる。また、広角端付近での倍率色収差の発生量とディストーションの発生量を、共に小さくできる。
【００３２】
条件式（１−１）の上限値を下回ると、第２レンズ群の屈折力を大きくできるので、広い画角を確保することができる。
【００３３】
条件式（４−２）の下限値を上回ると、入射瞳の位置が像位置に近づくことを抑制できる。そのため、広角端における画角を広くしても、第１レンズ群を小径化できる。その結果、光学系を小型化できる。
【００３４】
条件式（４−２）の上限値を下回ると、第１レンズ群と第２レンズ群とで得られる変倍効果が強まるので、高い変倍比を確保することができる。
【００３５】
第２実施形態の変倍光学系について説明する。第２実施形態の変倍光学系は、上述の基本構成を備えると共に、変倍時に、第１レンズ群と開口絞りは固定でき、第３レンズ群は、正レンズと負レンズとを有し、以下の条件式（１−１）、（７）、（３２）を満足することを特徴とする。
１．５２≦｜ｆG2／ｆw｜≦１０．０      （１−１）
１．７≦｜ｆG1／ｆG2｜≦９．１      （７）
０．０４≦ΣG1／ＬＴＬw≦０．３５      （３２）
ここで、
ｆG1は、第１レンズ群の焦点距離、
ｆG2は、第２レンズ群の焦点距離、
ｆwは、広角端における変倍光学系の焦点距離、
ΣG1は、第１レンズ群の厚み、
ＬＴＬwは、広角端における変倍光学系の全長、
である。
【００３６】
条件式（７）の技術的意義は、条件式（４−２）の技術的意義と同様である。
【００３７】
条件式（３２）の下限値を上回ると、光学系の全長を短縮できる。条件式（３２）の上限値を下回ると、変倍時における第２レンズ群の移動するスペースを確保できる。そのため、広角側で広い画角を確保しつつ、高い変倍化も確保することができる。
【００３８】
第３実施形態の変倍光学系について説明する。第３実施形態の変倍光学系は、上述の基本構成を備えると共に、変倍時に、第１レンズ群は固定でき、第３レンズ群は移動可能であり、開口絞りは一方向のみに移動できるか、或いは、固定でき、第１レンズ群は、負レンズと正レンズとを含むことができ、正レンズは、物体側に凸面を向けた正メニスカスレンズとすることができ、第３レンズ群は、正レンズと負レンズを含むことができ、以下の条件式（１−３）を満足することを特徴とする。
１．６０≦｜ｆG2／ｆw｜≦１０．０      （１−３）
ここで、
ｆG2は、第２レンズ群の焦点距離、
ｆwは、広角端における変倍光学系の焦点距離、
である。
【００３９】
本実施形態の変倍光学系では、変倍時、開口絞りは一方向のみに移動できるか、或いは、固定できる。
【００４０】
第１レンズ群を負レンズと正レンズとで構成すると、高い変倍比の確保を実現できると共に、変倍域の広い範囲で色収差の発生を減らすことができる。また、正レンズを、物体側の凸面を向けたメニスカスレンズにすると、変倍時の非点収差の変動を減らすことができる。
【００４１】
第４実施形態の変倍光学系について説明する。第４実施形態の変倍光学系は、上述の基本構成を備えると共に、変倍時に、第１レンズ群は固定でき、第３レンズ群が移動可能であり、開口絞りは一方向のみに移動できるか、或いは、固定でき、第３レンズ群は、正レンズと負レンズを含むことができ、以下の条件式（４−１）を満足することを特徴とする。
８．７≦ｆG1／ｆw≦５０      （４−１）
ここで、
ｆG1は、第１レンズ群の焦点距離、
ｆwは、広角端における変倍光学系の焦点距離、
である。
【００４２】
条件式（４−１）の下限値を上回ると、入射瞳の位置が像位置に近づくことを抑制できる。そのため、広角端における画角を広くしても、第１レンズ群を小径化できる。その結果、光学系を小型化できる。
【００４３】
条件式（４−１）の上限値を下回ると、第１レンズ群と第２レンズ群とで得られる変倍効果が強まるので、高い変倍比を確保することができる。
【００４４】
本実施形態の変倍光学系は、以下の条件式（２−２）を満足することができる。
０≦ΔSS／ＬＴＬw≦０．１１      （２−２）
ここで、
ΔSSは、変倍時における開口絞りの移動量の最大値、
ＬＴＬwは、広角端における変倍光学系の全長、
である。
【００４５】
条件式（２−２）を満足することで、変倍によるＦナンバーの急激な変化を少なくすることができる。その結果、変培時の開口絞り開口径の変化量を少なくできる。また、Ｆナンバーが小さい場合であっても、変倍域の広い範囲で、光量変動が少ない状態を維持することができる。また、開口絞りの開口径の変更には、電気的手段が使用されてもよい。電気的手段としては、例えば、電気信号を伝達する電線がある。変倍時、開口絞りの移動に伴って、電気信号の伝達経路、すなわち電線の長さが変化し得る。条件式（２−２）を満足することで開口絞りの移動量を小さくできるので、電線の長さの変化を少なくできる。その結果、耐久性の高い構造を持つ電気的手段を実現できる。
【００４６】
本実施形態の変倍光学系は、以下の条件式（１−１）を満足することができる。
１．５２≦｜ｆG2／ｆw｜≦１０．０      （１−１）
ここで、
ｆG2は、第２レンズ群の焦点距離、
ｆwは、広角端における変倍光学系の焦点距離、
である。
【００４７】
本実施形態の変倍光学系、以下の条件式（３）を満足することができる。
−０．０６７≦ｆG2×ＰG1G2a≦０．２０７      （３）
ここで、
ｆG2は、第２レンズ群の焦点距離、
ＰG1G2aは、以下の式で表され、
ＰG1G2a＝１／ＲG1B−１／ＲG2F、
ＲG1Bは、第１レンズ群の最も像側に位置するレンズ面の曲率半径、
ＲG2Fは、第２レンズ群の最も物体側に位置するレンズ面の曲率半径、
である。
【００４８】
条件式（３）の下限値を上回ると、広角端付近で、主に、非点収差の発生とディストーションの変化を、共に小さくすることができる。その結果、広角端における画角を広角化することができる。条件式（３）の上限値を下回ると、第２レンズ群の屈折力を大きくすることができる。そのため、広角端における画角を広くしても、第２レンズ群を小径化することができる。その結果、光学系を小型化できる。
【００４９】
本実施形態の変倍光学系は、以下の条件式（５）を満足することができる。
−０．２０≦（ＬＴＬt−ＬＴＬw）／ＬＴＬw≦０．４６      （５）
ここで、
ＬＴＬtは、望遠端における変倍光学系の全長、
ＬＴＬwは、広角端における変倍光学系の全長、
である。
【００５０】
条件式（５）の下限値を上回ると、高い変倍比の確保を実現しつつ、広角端付近での像面湾曲の発生を抑制することができ、しかも、望遠端付近での球面収差の発生を抑制することができる。
【００５１】
条件式（５）の上限値を下回ると、変倍時に第１レンズ群が移動する場合であっても、第１レンズ群の移動量を少なくすることができる。そのため、撮影時の姿勢の変化が少ない状態で変倍を行うことができる。
【００５２】
本実施形態の変倍光学系は、以下の条件式（４−２）を満足することができる。
３．１≦ｆG1／ｆw≦５０      （４−２）
ここで、
ｆG1は、第１レンズ群の焦点距離、
ｆwは、広角端における変倍光学系の焦点距離、
である。
【００５３】
本実施形態の変倍光学系は、以下の条件式（６）を満足することができる。
０．１≦ｆG1／ｆt≦３．０      （６）
ここで、
ｆG1は、第１レンズ群の焦点距離、
ｆtは、望遠端における変倍光学系の焦点距離、
である。
【００５４】
条件式（６）の技術的意義は、条件式（４−１）の技術的意義と同様である。
【００５５】
本実施形態の変倍光学系は、以下の条件式（７）を満足することができる。
１．７≦｜ｆG1／ｆG2｜≦９．１      （７）
ここで、
ｆG1は、第１レンズ群の焦点距離、
ｆG2は、第２レンズ群の焦点距離、
である。
【００５６】
条件式（７）の技術的意義は、条件式（４−１）の技術的意義と同様である。
【００５７】
本実施形態の変倍光学系は、以下の条件式（８）を満足することができる。
１．０≦ｆG3／ｆw≦９．０      （８）
ここで、
ｆG3は、第３レンズ群の焦点距離、
ｆwは、広角端における変倍光学系の焦点距離、
である。
【００５８】
条件式（８）の下限値を上回ると、主に、第３レンズ群での球面収差の発生量が減少する。そのため、広角端で、小さいＦナンバーを確保できる。条件式（８）の上限値を下回ると、第３レンズ群の変倍作用が増加する。その結果、高い変倍比を確保することができる。
【００５９】
本実施形態の変倍光学系は、以下の条件式（９）を満足することができる。
−１４％＜ＤＴw＜５％      （９）
ここで、
ＤＴwは、広角端における最大画角での歪曲収差量であって、以下の式で表わされ、
ＤＴw＝（ＩＨw1−ＩＨw2）／ＩＨw2×１００（％）、
ＩＨw1は、広角端における最大画角の光線を含む光束が像面に結像するときの実像高、
ＩＨw2は、広角端における最大画角の光線を含む光束が像面の結像する近軸像高であって、
いずれも、無限遠物点合焦時の像高、
である。
【００６０】
条件式（９）の下限値を上回ると、像の歪が小さくなるので、被写体を正確に撮影することが容易となる。条件式（９）の上限値を下回ると、歪みが少ない像（歪みが目立たない像）が得られる。
【００６１】
本実施形態の変倍光学系では、第３レンズ群は、以下の条件式（１０）を満足する所定の正レンズを有することができる。
６３≦νｄG3P1≦１００．０      （１０）
ここで、
νｄG3P1は、所定の正レンズのアッベ数、
である。
【００６２】
条件式（１０）の下限値を上回ると、第３レンズ群での軸上色収差の発生が小さくなる。そのため、高い変倍比を確保しても、変倍域の広い範囲で良好な結像性能を確保できる。
【００６３】
本実施形態の変倍光学系では、第３レンズ群は、第１正レンズと接合レンズとを含むことができ、接合レンズは、負レンズと両凸正レンズとから構成できるか、又は、正レンズと負レンズとから構成できると共に、物体側に凸面を向けたメニスカス形状にすることができる。
【００６４】
接合レンズを備えると、軸上色収差の補正効果や倍率色収差の補正効果を高めることができる。更に、第１正レンズと接合レンズの接合面とで、主に、球面収差の補正効果とコマ収差の補正効果とを高めることができる。
【００６５】
更に、接合レンズを構成するレンズのうち、像側のレンズを両凸正レンズにすると、球面収差の補正効果とコマ収差の補正効果とを、更に高めることができる。その結果、高い変倍比と小さいＦナンバーが得られ易くなる。
【００６６】
本実施形態の変倍光学系では、変倍時、第３レンズ群と第１領域に属する全てのレンズとの間隔が変化するように、第１領域に属する全てのレンズは移動することができる。
【００６７】
このようにすることで、変倍域の広い範囲で、像面湾曲の補正ができる。そのため、良好な結像性能が得られる。第１領域に属する全てのレンズは、１つのレンズ群を構成しているものと見なすことができる。よって、移動時、第１領域に属する全てのレンズは、一体となって移動する。
【００６８】
本実施形態の変倍光学系では、第３レンズ群と第１領域に属する全てのレンズとの間隔が広角端よりも望遠端で広くなるように、第１領域に属する全てのレンズは移動できる。
【００６９】
このようにすることで、変倍域の広い範囲で、像面湾曲の補正ができる。そのため、良好な結像性能が得られる。
【００７０】
本実施形態の変倍光学系では、広角端から望遠端への変倍時、第１領域に属する全てのレンズは、物体側に凸の軌跡を描いて移動することができる。
【００７１】
このようにすることで、変倍域の広い範囲で、像面湾曲の補正ができる。そのため、良好な結像性能が得られる。
【００７２】
本実施形態の変倍光学系では、第１領域に属する全てのレンズは変倍時に固定できる。
【００７３】
このようにすることで、第４レンズ群第１領域に属する全てのレンズを変倍時に移動させるためのスペースを不要にすることができる。そのため、光学系の小型化ができる。また、このようにすることで、移動機構を不要にすることができる。そのため、光学ユニットの小型化ができる。
【００７４】
本実施形態の変倍光学系では、第２領域に属する全てのレンズは、変倍時に固定できる。第２領域に入射する光線の高さは、変倍時に変化する。変倍時に第２領域に属する全てのレンズを固定すると、第２領域に入射する中心光束径の変化と周辺光線高の変化を、共に減らすことができる。その結果、広角端から望遠端にかけて倍率色収差の変動を抑えることや、小さなＦナンバーを確保することが容易となる。中心光束径とは、像面の中心に結像する光束の径のことである。周辺光線高とは、像面の周辺に結像する光線の高さのことである。また、ここでは、例えば、広角端のＦナンバーが２．５以下の場合を、小さいＦナンバーという。ただし、この値に限定されない。
【００７５】
像面の近くでレンズ群を移動させると、レンズ群の移動によってゴミが発生し易くなる。第２領域は、像面の近くに位置する。そこで、変倍時に第２領域に属する全てのレンズを固定とすることで、ゴミの発生を軽減することができる。像面に撮像素子を配置した場合、ゴミの撮像面への付着を軽減できる。また、変倍域の広い範囲で、Ｆナンバーの変化が少ない構成をとることが容易となる。第２領域は、第１領域の近傍に位置させることができる。第２領域に属する全てのレンズを変倍時に固定すると、第１領域の近傍に変倍用のアクチュエータを配置しなくても良い。よって、第１領域に属する全てのレンズで合焦を行う場合に、第１領域の近傍に合焦用のアクチュエータが配置できる。その結果、合焦ユニットの小型化ができる。合焦ユニットは、例えば、合焦用のレンズ群と合焦用のアクチュエータとで構成できる。
【００７６】
本実施形態の変倍光学系では、第１領域に属する全てのレンズは、合焦時に移動することができる。この場合、第１領域に属する全てのレンズは、合焦レンズ群として用いられることになる。ここで、第２領域に属する全てのレンズを１つのレンズ群と見なすと、負の屈折力を有する合焦レンズ群を、正の屈折力を有する第３レンズ群と正の屈折力を有するレンズ群との間に配置できることになる。そのため、合焦レンズ群の倍率を高めることができる。その結果、合焦レンズ群におけるフォーカス感度も高めることができる。フォーカス感度とは、合焦レンズ群の移動量に対する結像面での像の移動量の比である。また、移動量は、光軸方向での移動量である。
【００７７】
フォーカス感度を高めることができるので、少ない移動量で合焦が行える。また、合焦時の結像性能の変化も少なくできる。よって、良好な結像性能を維持したままで、高速な合焦ができる。
【００７８】
本実施形態の変倍光学系では、１枚の負レンズのみが前記第１領域に属し、合焦時に移動することができる。
【００７９】
この場合、第１領域に属する全てのレンズは、合焦レンズ群として用いられることになる。合焦レンズ群を１枚の負レンズで構成すると、合焦レンズ群を軽量にすることができる。その結果、より高速な合焦が実現できる。
【００８０】
本実施形態の変倍光学系では、第１領域に、以下の条件式（１１）を満足する所定の負レンズを配置することができる。
５１．０≦νｄGI1N1≦１００．０      （１１）
ここで、
νｄGI1N1は、所定の負レンズのアッベ数、
である。
【００８１】
条件式（１１）の下限値を上回ると、合焦時の色収差の変動、すなわち、軸上色収差の変動と倍率色収差の変動を小さくできる。そのため、合焦時においても、良好な結像性能が得られる。
【００８２】
色収差の発生を抑える方法として、負レンズよりも高分散の正レンズを第１領域に配置する方法がある。しかしながら、第１領域に正レンズを配置すると、第１領域に属する全てのレンズ全体での重量が増加し得る。条件式（１１）を満足することで、高分散の正レンズを第１領域に配置しなくても良い。この場合、第１領域に属する全てのレンズ全体での重量が増加することを防ぐことができる。よって、第１領域に属する全てのレンズで合焦を行う場合、高速な合焦が容易となる。
【００８３】
本実施形態の変倍光学系では、第２領域に属する全てのレンズは、第１副レンズ群に属するレンズと第２副レンズ群に属するレンズとに分けることができ、第１副レンズ群は正の屈折力を有し、第２副レンズ群は、負レンズと正レンズとを有することができる。
【００８４】
広角端における画角をより広くすると共に、高い変倍比を実現するためには、第２領域に属する全てのレンズ全体での倍率色収差の発生量を抑えてもよい。そこで、第２領域に属する全てのレンズの一部を第２副レンズ群に属させ、しかも、第２副レンズ群を負レンズと正レンズとで構成できると、倍率色収差を補正することができる。
【００８５】
ただし、倍率色収差のみを重点的に補正すると、非点収差やコマ収差が発生し得る。よって、倍率色収差のみを重点的に補正すると、結像性能に悪影響が及び得る。そこで、第２副レンズ群の物体側に、正の屈折力を有する第１副レンズ群を配置できる。このようにすることで、第２領域に属する全てのレンズ全体での収差補正能力を高めることができる。その結果、倍率色収差を補正できると共に、非点収差の発生やコマ収差の発生を抑えることできる。
【００８６】
第１副レンズ群と第２副レンズ群とを離れた状態で配置できると、第２領域に属する全てのレンズ全体での収差補正能力を高めることができる。第１副レンズ群と第２副レンズ群との間には、ある程度の広さの空気間隔を設けることができる。
【００８７】
本実施形態の変倍光学系では、第１副レンズ群は、空気間隔を持たないレンズで構成できる。
【００８８】
このようにすることで、第２領域に属する全てのレンズ全体での光軸方向における厚さを減らすことができる。その結果、変倍時に移動するレンズ群の移動スペースを確保できると共に、高次の倍率色収差の発生を抑えることができる。
【００８９】
本実施形態の変倍光学系では、第２副レンズは、負レンズと正レンズとから構成できる。
【００９０】
本実施形態の変倍光学系では、第２副レンズ群の負レンズと正レンズは接合できる。
【００９１】
このようにすることで、高次のコマ収差の発生や高次の非点収差の発生を抑えることができる。
【００９２】
本実施形態の変倍光学系は、以下の条件式（１２）を満足することができる。
０．１≦ｆGI2SUB1／ｆGI2≦３．０      （１２）
ここで、
ｆI2SUB1は、第１副レンズ群の焦点距離、
ｆGI2は、第２領域に属する全てのレンズに基づく焦点距離、
である。
【００９３】
条件式（１２）を満足することで、非点収差の発生やコマ収差の発生を抑制することができる。
【００９４】
第２領域に属する全てのレンズに基づく焦点距離は、第２領域に属する全てのレンズに基づく屈折力の逆数である。よって、第２領域に属するレンズの数が１つの場合の焦点距離や複数の場合の焦点距離は、第２領域に属する全てのレンズに基づく屈折力を求める場合と同じような考え方で求めれば良い。
【００９５】
本実施形態の変倍光学系は、以下の条件式（１３）を満足することができる。
０．１≦｜ｆGI2SUB1／ｆGI1｜≦３．０      （１３）
ここで、
ｆGI2SUB1は、第１副レンズ群の焦点距離、
ｆGI1は、第１領域に属する全てのレンズに基づく焦点距離、
である。
【００９６】
条件式（１３）を満足することで、非点収差の発生やコマ収差の発生を抑制することができる。また、第１領域に属する全てのレンズで合焦を行う場合、合焦時の像面湾曲の変動を小さくすることができる。
【００９７】
第１領域に属する全てのレンズに基づく焦点距離は、第１領域に属する全てのレンズに基づく屈折力の逆数である。よって、第２１域に属するレンズの数が１つの場合の焦点距離や複数の場合の焦点距離は、第１領域に属する全てのレンズに基づく屈折力を求める場合と同じような考え方で求めれば良い。
【００９８】
本実施形態の変倍光学系は、以下の条件式（１４）を満足することができる。
０．０２０≦ＤGI2SUB12a／ｆGI2≦０．５      （１４）
ここで、
ＤGI2SUB12aは、第１副レンズ群と第２副レンズ群との空気間隔、
ｆGI2は、第２領域に属する全てのレンズに基づく焦点距離、
である。
【００９９】
条件式（１４）の下限値を上回ると、非点収差の発生とコマ収差の発生を抑制することができる。
【０１００】
条件式（１４）の上限値を下回ると、第２領域に属する全てのレンズ全体での光軸方向における厚さを減らすことができる。そのため、変倍時に移動するレンズ群の移動スペースを十分に確保することができる。その結果、高い変倍比を確保することができる。
【０１０１】
本実施形態の変倍光学系は、以下の条件式（１５）を満足することができる。
０．１≦ＤGI2SUB12a／ｆw≦２．０      （１５）
ここで、
ＤGI2SUB12aは、第１副レンズ群と第２副レンズ群との空気間隔、
ｆwは、広角端における変倍光学系の焦点距離、
である。
【０１０２】
条件式（１５）の下限値を上回ると、非点収差の発生とコマ収差の発生を抑制することができる。
【０１０３】
条件式（１５）の上限値を下回ると、第２領域に属する全てのレンズ全体での光軸方向における厚さを減らすことができる。そのため、変倍時に移動するレンズ群の移動スペースを十分に確保することができる。その結果、高い変倍比を確保することができる。
【０１０４】
本実施形態の変倍光学系では、第１副レンズ群を光軸と直交する方向に移動させることができる。
【０１０５】
撮像装置を手で保持すると、場合によっては、手ブレによって撮像装置が振動し得る。手ブレによって光学系に振動が加わると、その振動の影響で鮮明な像が得られない。より鮮明で高解像な像を得るためには、光学系内で手ブレ補正を行ってもよい。
【０１０６】
例えば、撮像装置を三脚に固定した場合や、撮像装置を建物の外壁に固定した場合、三固定した側に振動が生じると、その振動が撮像装置に伝達され得る。このような振動は、手ブレによる振動と同じと見なしてもよい。よって、このような場合の振動も、手ブレによる振動に含まれるものとみなしてもよい。
【０１０７】
上述のように、第２領域に属する全てのレンズは、第１副レンズ群に属するレンズと第２副レンズ群に属するレンズとに分けることができる。このような構成を採用できると、上述のように、倍率の色収差、非点収差及びコマ収差を補正することができる。加えて、このような構成を採用できると、より物体側に第１副レンズ群を配置でき、また、正の屈折力を有する第１副レンズ群の物体側に、負の屈折力を有する第１領域に属する全てのレンズを近接して配置することができる。そのため、第１副レンズ群の倍率を高めることができる。
【０１０８】
第１副レンズ群の倍率を高めると、レンズ又はレンズ群を光軸に対して垂直方向に移動させたときの移動量と、像面での像の移動量との比（以下、「手ブレ補正感度」という）を、第１副レンズ群において高めることができる。このようなことから、第１副レンズ群で手ブレ補正を行うことができる。このように、第２領域に属する全てのレンズを２つの副レンズ群に分ける構成を採用できると、少ない移動量で手ブレの補正が可能となる。また、移動量が少ないので、より追従性が高い手ブレ補正が可能となる。
【０１０９】
また、変倍時に移動するレンズ群に手ブレ補正を行うレンズが含まれていると、変倍に伴って生じるレンズ位置の変動によって、検出した手ブレ量に誤差が生じ得る。変倍時、第２領域に属する全てのレンズを固定すると、誤差を少なくすることができる。
本実施形態の変倍光学系では、第１副レンズ群は１枚の正レンズからなるようにできる。
【０１１０】
本実施形態の変倍光学系は、以下の条件式（１６）を満足することができる。
０．３＜｜ＭＧGI2SUB1back×（ＭＧGI2SUB1−１）｜＜１．５      （１６）
ここで、
ＭＧGI2SUB1backは、所定の光学系における横倍率、
ＭＧGI2SUB1は、第１副レンズ群における横倍率、
所定の光学系は、第１副レンズ群よりも像側に位置する全てのレンズで構成される光学系、
横倍率は、無限遠物体合焦時の横倍率、
である。
【０１１１】
条件式（１６）を満足することで、非点収差の発生やコマ収差の発生を抑制することができる。条件式（１６）の下限値を上回ることで、手ブレ補正感度を向上させることができる。この場合、第１副レンズ群の移動量が小さくなり得るので、手ブレに対する第１副レンズ群の追従性を向上させることができる。
【０１１２】
本実施形態の変倍光学系では、第１副レンズ群は正レンズを有し、以下の条件式（１７）を満足することができる。
５２≦νｄGI2SUB1P≦１００      （１７）
ここで、
νｄGI2SUB1Pは、第１副レンズ群の正レンズのアッベ数、
である。
【０１１３】
条件式（１７）の下限を上回ると、倍率色収差の発生を抑制することができる。また、第１副レンズ群で手ブレ補正を行った場合に、色収差の発生を抑制することができる。
【０１１４】
本実施形態の変倍光学系では、第１副レンズ群は、１枚の正レンズから構成できる。
【０１１５】
このようにすることで、第１副レンズ群を軽量化することができる。その結果、第１副レズ群で手ブレ補正を行う場合、手ブレに対する第１副レンズ群の追従性をより高めることができる。
【０１１６】
本実施形態の変倍光学系では、第１副レンズ群は１枚の正レンズで構成でき、第２副レンズ群は、１枚の負レンズと１枚の正レンズとで構成できる。
【０１１７】
このようにすることで、倍率色収差を補正できると共に、非点収差の発生やコマ収差の発生を抑えることできる。また、第２領域に属する全てのレンズ全体での光軸方向における厚さを減らすことができる。そのため、変倍時に移動するレンズ群の移動スペースを十分に確保することができる。その結果、高い変倍比を確保することができる。
【０１１８】
本実施形態の変倍光学系は、以下の条件式（１８）を満足することができる。
１８．０≦νｄGI2SUB2N≦１００      （１８）
ここで、
νｄGI2SUB2Nは、第２副レンズ群の負レンズのアッベ数のうち、最少となるアッベ数、
である。
【０１１９】
条件式（１８）の下限値を上回ると、２次スペクトルの発生を抑制することができる。また、倍率色収差の発生を抑制することができる。
【０１２０】
本実施形態の変倍光学系では、開口絞りを、第２レンズ群より像側で、第３レンズ群の最も像側面より物体側に配置できる。
【０１２１】
これにより、第1レンズ群、第２レンズ群及び第３レンズ群の小径化ができる。また、これにより、第３レンズ群と開口絞りを中心として、屈折力の並びを対称にできるので、光学系の全長の短縮ができる。
【０１２２】
本実施形態の変倍光学系では、開口絞りを、第２レンズ群と第３レンズ群との間に配置できる。
【０１２３】
これにより、特に、第1レンズ群の小径化と第２レンズ群の小径化とができる。
【０１２４】
本実施形態の変倍光学系では、変倍時に開口絞りを固定できる。
【０１２５】
開口絞りを変倍時に固定とすると、変倍によるＦナンバーの急激な変化を少なくすることができる。その結果、Ｆナンバーが小さい場合であっても、変倍域の広い範囲で安定した光量を確保できる。
【０１２６】
また、開口絞りの開口径の変更には、電気的手段が使用されてもよい。電気的手段としては、例えば、電気信号を伝達する電線がある。開口絞りを変倍時に固定とすると、開口絞りの移動量を小さくできるので、電線の長さの変化を少なくできる。その結果、耐久性の高い構造を持つ電気的手段を実現できる
本実施形態の変倍光学系では、変倍時に第１レンズ群を固定できる。
【０１２７】
本実施形態の変倍光学系は、以下の条件式（１９）を満足することができる。
２．０≦ｆG1／ｆG3≦１０．０      （１９）
ここで、
ｆG1は、第１レンズ群の焦点距離、
ｆG3は、第３レンズ群の焦点距離、
である。
【０１２８】
条件式（１９）の下限値を上回ると、第３レンズ群における変倍作用を大きくできる。そのため、高い変倍比を確保することができる。
【０１２９】
条件式（１９）の上限値を下回ると、第３レンズ群での球面収差の発生やコマ収差の発生を抑制することができる。その結果、Ｆナンバーを小さくすることができる。
【０１３０】
本実施形態の変倍光学系は、以下の条件式（２０）を満足することができる。
０．５≦｜ｆG3／ｆGI1｜≦２．０      （２０）
ここで、
ｆG3は、第３レンズ群の焦点距離、
ｆGI1は、第１領域に属する全てのレンズに基づく焦点距離、
である。
【０１３１】
条件式（２０）の下限値を上回ると、第１領域に属する全てのレンズ全体での像面湾曲の発生を抑制することができる。その結果、変倍域の広い範囲で良好な結像性能が得られる。
【０１３２】
条件式（２０）の上限値を下回ると、第１領域に属する全てのレンズ全体での非点収差の発生を抑制することができる。その結果、組み付け誤差により像が片ボケ状態になることを抑制することができる。
【０１３３】
本実施形態の変倍光学系は、以下の条件式（２１）を満足することができる。
０．２０≦ｆG2／ｆGI1≦２．０      （２１）
ここで、
ｆG2は、第２レンズ群の焦点距離、
ｆGI1は、第１領域に属する全てのレンズに基づく焦点距離、
である。
【０１３４】
条件式（２１）の下限値を上回ると、第２レンズ群での倍率色収差の発生を抑制することができる。条件式（２１）の上限値を下回ると、第２レンズ群における変倍作用を大きくできる。そのため、高い変倍比を確保することができる。
【０１３５】
本実施形態の変倍光学系は、以下の条件式（２２）を満足することができる。
０．２０≦｜ｆG2／ｆG3｜≦２．０      （２２）
ここで、
ｆG2は、第２レンズ群の焦点距離、
ｆG3は、第３レンズ群の焦点距離、
である。
【０１３６】
条件式（２２）の下限値を上回ると、第２レンズ群での倍率色収差の発生を抑制することができる。条件式（２２）の上限値を下回ると、第２レンズ群における変倍作用を大きくできる。そのため、高い変倍比を確保することができる。
【０１３７】
本実施形態の変倍光学系は、以下の条件式（２３）を満足することができる。
０．５≦｜ｆGI1／ｆGI2｜≦２．０      （２３）
ここで、
ｆGI1は、第１領域に属する全てのレンズに基づく焦点距離、
ｆGI2は、第２領域に属する全てのレンズに基づく焦点距離、
である。
【０１３８】
条件式（２３）の下限値を上回ると、Ｆナンバーを小さくすることができる。条件式（２３）の上限値を上回ると、非点収差の発生を抑制できる。
【０１３９】
本実施形態の変倍光学系では、第３レンズ群は、広角端より望遠端で、物体側に位置するように移動できる。
【０１４０】
このようにすることで、第３レンズ群における変倍作用を大きくできる。そのため、高い変倍比を確保することができる。
【０１４１】
本実施形態の変倍光学系では、第１レンズ群は、負レンズと物体側に凸面を向けた正メニスカスレンズとを含むことができる。
【０１４２】
本実施形態の変倍光学系では、第１レンズ群は、１枚の正レンズを更に有することができる。また、本実施形態の変倍光学系では、第１レンズ群は、負レンズと２枚の正レンズとを含むことができる。
【０１４３】
このようにすることで、望遠端付近において、第１レンズ群での球面収差の発生を抑えることができる。そのため、高い変倍比を確保することが可能になる。更には、２枚の正レンズのうちの少なくとも１枚の正レンズを、物体側に凸面を向けたメニスカスレンズとすることができる。このようにすることで、球面収差を補正できる共に、変倍時の非点収差の変動を減らすことができる。
【０１４４】
本実施形態の変倍光学系では、第１レンズ群は、物体側から順に、負レンズと正レンズとを含むことができる。そして、本実施形態の変倍光学系では、負レンズと正レンズとは近接して配置でき、以下の条件式（２４）を満足することができる。
−０．１≦ｆG1×ＰG1NPa≦０．２７      （２４）
ここで、
ｆG1は、第１レンズ群の焦点距離、
ＰG1NPaは、以下の式で表され、
ＰG1NPa＝１／ＲG1NB−１／ＲG1PF、
ＲG1NBは、第１レンズ群の負レンズの像側レンズ面の曲率半径、
ＲG1PFは、第１レンズ群の正レンズの物体側レンズ面の曲率半径、
である。
【０１４５】
条件式（２４）の下限値を上回ると、望遠端付近で非点収差の発生を抑制することができる。条件式（２４）の上限値を下回ると、望遠端付近で球面収差の発生を抑制することができる。
【０１４６】
本実施形態の変倍光学系では、第１レンズ群の負レンズと第１レンズ群の正レンズは接合できる。
【０１４７】
このようにすることで、色収差を補正することができる。
【０１４８】
本実施形態の変倍光学系は、以下の条件式（２５）を満足することができる。
２．０≦ｆGI2SUB1／ｆw≦１２      （２５）
ここで、
ｆGI2SUB1は、第１副レンズ群の焦点距離、
ｆwは、広角端における変倍光学系の焦点距離、
である。
【０１４９】
条件式（２５）を満足することで、非点収差の発生やコマ収差の発生を抑制することができる。
【０１５０】
本実施形態の変倍光学系は、以下の条件式（２６）を満足することができる。
−１≦ＳＦGI2SUB1≦０．９５      （２６）
ここで、
ＳＦGI2SUB1は、以下の式で表わされ、
ＳＦGI2SUB1＝（ＲGI2SUB1f＋ＲGI2SUB1r）／（ＲGI2SUB1f−ＲGI2SUB1r）、
ＲGI2SUB1fは、第１副レンズ群の最も物体側に位置するレンズ面の曲率半径、
ＲGI2SUB1rは、第１副レンズ群の最も像側に位置するレンズ面の曲率半径、
である。
【０１５１】
条件式（２６）を満足することで、第１副レンズ群での非点収差の発生やコマ収差の発生を抑制することができる。また、第１副レンズ群で手ブレ補正を行う場合、球面収差の対称性や非点収差の対称性が増加するので、良好な結像性能が得られる。
【０１５２】
本実施形態の変倍光学系は、以下の条件式（２７）を満足することができる。
０．０３≦ΔG3M／ＬＴＬw≦０．３      （２７）
ここで、
ΔG3Mは、広角端から望遠端まで移動したときの第３レンズ群の移動量、
ＬＴＬwは、広角端における変倍光学系の全長、
である。
【０１５３】
条件式（２７）下限値を上回ると、第３レンズ群での変倍作用を得ることができる。そのため、高い変倍比を確保することが可能となる。
【０１５４】
条件式（２７）の上限値を下回ると、変倍時に移動するレンズ群の移動量を小さくできるので、変倍スピードが向上する。また、特に、望遠端付近で小さいＦナンバーを確保する場合にも、第３レンズ群の径を小さくできる。そのため、第３レンズ群での球面収差の発生を抑制することができる。
【０１５５】
本実施形態の変倍光学系では、第３レンズ群は、正レンズと負レンズとを含むことができる。
【０１５６】
本実施形態の変倍光学系は、以下の条件式（２８）を満足することができる。
３３．４°≦ΩHw／２≦７０．０°      （２８）
ここで、
ΩHwは、広角端における水平方向の全画角、
である。
【０１５７】
条件式（２８）の下限値を上回ると、広範囲の撮像が可能となる。そのため、例えば、監視カメラに本実施形態の変倍光学系を用いた場合には、死角を減少できる。テレビ会議用のカメラに本実施形態の変倍光学系を用いた場合には、狭い部屋であっても一度に複数人を撮影することができる。条件式（２８）の上限値を下回ると、第１レンズ群の径を小さくできるので、光学系を小型化することができる。
【０１５８】
本実施形態の変倍光学系は、以下の条件式（２９）を満足することができる。
５．０≦ｆt／ｆw≦１２０．０      （２９）
ここで、
ｆtは、望遠端における変倍光学系の焦点距離、
ｆwは、広角端における変倍光学系の焦点距離、
である。
【０１５９】
条件式（２９）の下限値を上回ると、高精細な像を得ることができる。そのため、例えば、監視カメラに本実施形態の変倍光学系を用いた場合には、自動車のナンバープレートや人物の顔などを鮮明に撮影することができる。条件式（２９）の上限値を下回ると、光学系の全長を短縮することができる。その結果、光学系を小型化することができる。
【０１６０】
本実施形態の変倍光学系は、以下の条件式（３０）を満足することができる。
０．６０≦ＦＮＯw≦２．５      （３０）
ここで、
ＦＮＯwは、広角端におけるＦナンバー、
である。
【０１６１】
条件式（３０）の下限値を上回ると、第１レンズ群、第２レンズ群及び第３レンズ群のそれぞれで、広角端付近における球面収差の発生と非点収差の発生を抑制することができる。
【０１６２】
条件式（３０）の上限値を下回ると、広角端で十分な明るさを確保することができる。そのため、例えば、監視カメラに本実施形態の変倍光学系を用いた場合、曇天時の監視や夜間の監視で良好な画像が得られる。
【０１６３】
本実施形態の変倍光学系は、以下の条件式（３１）を満足することができる。
０．７０≦ＦＮＯt≦５．５      （３１）
ここで、
ＦＮＯtは、望遠端におけるＦナンバー、
である。
【０１６４】
条件式（３１）の下限値を上回ると、第１レンズ群、第２レンズ群及び第３レンズ群のそれぞれで、望遠端付近における球面収差の発生と非点収差の発生を抑制することができる。
【０１６５】
条件式（３１）の上限値を下回ると、望遠端で十分な明るさを確保することができる。そのため、例えば、本実施形態の変倍光学系を監視カメラに用いた場合、曇天時の監視や夜間の監視で良好な画像が得られる。
【０１６６】
本実施形態の変倍光学系では、変倍時、開口絞りは一方向のみに移動できるか、或いは、固定できる。
【０１６７】
変倍時、開口絞りは光軸に沿って移動できる。変倍時に、開口絞りの移動方向が途中で反転すると、像面に対する開口絞りの位置に誤差が生じることがある。位置の誤差は、例えば、ギアを用いた移動機構では、バックラッシュによって生じる。変倍時に、開口絞りの移動方向を一方向のみにすることで、開口絞りの位置を常に安定させることができる。変倍に伴ってＦナンバーが変化する。開口絞りの位置が安定させることができると、設計時の位置に開口絞りの位置を一致又は略一致させることができる。その結果、Ｆナンバーを変化させた時の誤差を減らすことができる。
【０１６８】
Ｆナンバーを小さくすると、フレアが発生しやすい。変倍時、開口絞りの位置を固定できると、Ｆナンバーを変化させた時の誤差を更に減らすことができる。その結果、フレアの発生を軽減できる。
【０１６９】
本実施形態の変倍光学系では、負レンズと正レンズが第２領域に属するようにできる。
【０１７０】
第２領域に属する全てのレンズ全体での倍率色収差が大きい場合、この倍率色収差は、主に、第２レンズ群で抑制できる。しかしながら、このようにすると、変倍時の倍率色収差の変動が大きくなり得る。そのため、変倍域の広い範囲で、良好な結像性能を得ることが難しい場合がある。
【０１７１】
広角端における画角をより広くし、更に、高い変倍比を確保するためには、第２領域に属する全てのレンズ全体での倍率色収差の発生量が抑えられると良い。負レンズと正レンズが第２領域に属するように構成すると、倍率色収差を補正することができる。
【０１７２】
本実施形態の変倍光学系は、以下の条件式（３２）を満足することができる。
０．０４≦ΣG1／ＬＴＬw≦０．３５      （３２）
ここで、
ΣG1は、第１レンズ群の厚み、
ＬＴＬwは、広角端における変倍光学系の全長、
である。
【０１７３】
条件式（３２）の下限値を上回ると、光学系の全長を短縮できる。条件式（３２）の上限値を下回ると、変倍時における第２レンズ群の移動するスペースを確保できる。そのため、広角側で広い画角を確保しつつ、高い変倍化も確保することができる。
【０１７４】
本実施形態の変倍光学系は、以下の条件式（３３）を満足することができる。
０．０≦ｆt／ｆw＋１４３．９×ｔａｎ（ΩHw／２）−１２１．８８≦１１０      （３３）
ここで、
ｆwは、広角端における変倍光学系の焦点距離、
ｆtは、望遠端における変倍光学系の焦点距離、
ΩHwは、広角端における水平方向の全画角、
である。
【０１７５】
例えば、監視カメラでは、広角端での視野範囲を確認することや、所定エリアを拡大して所定エリア内を詳細に確認することがある。より詳細な情報を得ることを考えた場合、変倍比を高くしてもよい。
【０１７６】
変倍光学系では、撮影エリアはｆ×ｔａｎωに比例し得る（ｆは焦点距離、ωは画角である）。そのため、広角端での水平画角が狭くなるに従い、撮影エリア内の情報量は画角のｔａｎに比例して減少し得る。つまり、情報量の減少率は、画角の変化率以上になる。
【０１７７】
広角端での水平画角が狭い場合は、広角端での水平画角が広い場合に対して、変倍比を高くして、望遠端での画角をより狭めることで情報量を補うことが可能になる。条件式（３３）の下限値を上回ると、十分な情報量が得られる。
【０１７８】
本実施形態の変倍光学系は、以下の条件式（３４）を満足することができる。
０．０≦ｆt／ｆw＋１２６．５２×ｔａｎ（ΩHw／２）−１０１．９１≦１２０      （３４）
ここで、
ｆwは、広角端における変倍光学系の焦点距離、
ｆtは、望遠端における変倍光学系の焦点距離、
ΩHwは、広角端における水平方向の全画角、
である。
【０１７９】
条件式（３４）の技術的意義は、条件式（３３）と同様である。
【０１８０】
本実施形態の撮像装置は、光学系と、撮像面を持ち且つ光学系により撮像面上に形成された像を電気信号に変換する撮像素子と、を有し、光学系が本実施形態の変倍光学系であることを特徴とする。
【０１８１】
高画質の画像が得られる撮像装置を提供することができる。
【０１８２】
本実施形態の撮像装置は、以下の条件式（３５）を満足することができる。
２．５ｍｍ≦Ｒimg≦２２．０ｍｍ      （３５）
ここで、
Ｒimgは、撮像素子におけるイメージサークルの半径、
である。
【０１８３】
条件式（３５）を満足することで、高い解像度が得られる。条件式（３５）の下限値を上回ると、高い解像度を確保する場合、撮像素子の感度が向上するので、良好な映像が得られる。高い解像度とは、例えば、ハイビジョンの解像度や、ハイビジョンの解像度を上回る解像度のことである。
【０１８４】
第１レンズ群は、物体側から順に、物体側に凸面を向けた負メニスカスレンズと、物体側面が物体側に凸である正レンズと、物体側に凸面を向けた正メニスカスレンズと、を有してもよい。
【０１８５】
第２レンズ群は、最も物体側のレンズは、像側面が物体側に凸の負レンズでもよい。第２レンズ群は、最も像側から順に、両凸正レンズと、物体側面が物体側に凹面を向けた負レンズと、を備えてもよい。第２レンズ群は、物体側から順に、負レンズと、負レンズと、正レンズとを備えてもよい。より具体的には、第２レンズ群は、像側面が像側に凹面を向けた負レンズと、両凹負レンズと、両凸正レンズと、を備えてもよい。
【０１８６】
第３レンズ群は、最も物体側のレンズは、物体側面が物体側に凸面を向けた正レンズであってよい。第３レンズ群は、最も像側のレンズは、両凸正レンズであってよい。第３レンズ群は、物体側から順に、正レンズと、負レンズと、正レンズとを備えてもよい。より具体的には、第３レンズ群は、物体側から順に、物体側面が物体側に凸面を向けた正レンズと、物体側に凸面を向けた負メニスカスレンズと、両凸正レンズとを備えてもよい。
【０１８７】
両凹負レンズが第１領域に属していてよい。
【０１８８】
第２領域に属する最も物体側のレンズが、両凸正レンズであってよい。第２領域に属する最も像側のレンズは、物体側の面が物体側に凸面を向けていてよい。第２領域には、物体側から順に、正レンズと、負レンズと、正レンズと、が属していてよい。より具体的には、第２領域には、両凸正レンズと、物体側に凸面を向けた負メニスカスレンズと、物体側の面が物体側に凸面を向けた正レンズと、が属していてよい。
【０１８９】
広角端から望遠端への変倍時に、第１レンズ群と第２レンズ群との間隔は広がってもよい。広角端から望遠端への変倍時に、第２レンズ群と第３レンズ群との間隔は狭まってもよい。広角端から望遠端への変倍時に、第３レンズ群と第第１領域に属するすべてのレンズ全体との間隔は広がってもよい。
【０１９０】
撮像装置としては、例えば、デジタルカメラ、ビデオカメラ、監視カメラ、テレビ会議システムのカメラ等がある。
【０１９１】
デジタルカメラやビデオカメラにおける撮影ニーズには、例えば、２つの撮影ニーズがあり得る。１つ目の撮影ニーズは、大きな建造物を撮影したいというニーズや、広大な背景をバックにした記念撮影を行いたいというニーズである。２つ目の撮影ニーズは、広い範囲の撮影から被写体の拡大撮影までを１つの撮影レンズで行いたいというニーズである。
【０１９２】
１つ目の撮影ニーズを満たすためには、光学系の画角をより広くしてもよい。２つ目の撮影ニーズを満たすためには、光学系の変倍比をより高くしてもよい。２つの撮影ニーズを満足する光学系としては、例えば、半画角が３３度以上で、変倍比が５倍以上の変倍光学系がある。このような仕様を持つ変倍光学系は、様々な撮影シーンで使えるので、使い易い変倍光学系ということができる。
【０１９３】
監視カメラにおけるニーズとして、より広範囲の監視ができることや、より高い倍率での監視ができることがあり得る。例えば、より高い倍率での監視は、ナンバープレートの数字の特定や、人物の特定などが容易にできる。
【０１９４】
また、テレビ会議システムにおけるニーズとして、会議室全体の様子を把握できることや、会議室の一部の様子を詳細に把握できることがあり得る。
【０１９５】
このようなことから、撮像装置では、広角端における画角が広く、変倍比が５倍を超えるような光学系に対するニーズが高いかもしれない。
【０１９６】
また、デジタルカメラやビデオカメラでは、機動性が重要な場合がある。ここで、機動性とは、例えば、持ち運びの容易性、手持ち撮影時の安定性、フォーカススピードの高速性などである。装置の機動性を優れたものにするためには、光学系は小型で軽量なものであってよい。また、監視カメラでは、監視カメラを設置する場所が限られる場合があるため、光学系には小型化と細径化が要求される場合がある。
【０１９７】
また、手ブレによって撮像装置が振動すると、撮影スピードが遅い場合、その振動の影響で画像が不鮮明になる場合がある。鮮明な画像が得られるようにするためには、Ｆナンバーを小さくしてもよい。
【０１９８】
本実施形態の変倍光学系は、主に電子撮像素子を用いた撮像装置の光学系に使用できる。この場合、半画角は４０度以上にすることができる。半画角は、更には４２度以上にしても良い。半画角と焦点距離の対応関係は、以下の通りである。
半画角                焦点距離
４０度以上            ２５．７ｍｍ以下
４２度以上            ２４ｍｍ以下
【０１９９】
本実施形態の変倍光学系では、広角端での広い画角の確保と小さいＦナンバーの確保ができ、しかも、諸収差を良好に補正することができる。更に、本実施形態の変倍光学系は、機動性や設置の自由度に優れると共に、光学系が小型化や細径化されている。本実施形態の変倍光学系によれば、撮影機会を逃さない安定した撮影や迅速な撮影に有効な撮像光学系を提供することができる。
【０２００】
上述の変倍光学系や光学装置は、複数の構成を同時に満足できる。このようにすることで、良好な変倍光学系や光学装置を得ることができる。また、構成の組み合わせは任意である。また、各条件式について、より限定した条件式の数値範囲の上限値又は下限値のみを限定できる。
【０２０１】
条件式（５）〜（３５）の少なくとも１つを、本実施形態の変倍光学系の基本構成に組み合わせることができる。この組み合わせでは、条件式（１−１）〜（１−３）、（２−１）、（２−２）、（３）及び（４）を含まないようにすることができる。
【０２０２】
各条件式について、以下のように下限値、または上限値を変更できる。
条件式（１−１）、（１−２）、（１−３）については、以下の通りである。
下限値は、１．６０、１．６５、１．７１、１．７７、１．７８、１．８０、１．９１、１．９５、２．００、２．１０、２．１２、２．２０、２．２９、２．５０のいずれかにすることができる。
上限値は、８．２６、６．５３、４．７９、４．５０、４．２０、４．００、３．８０、３．５０、３．０６のいずれかにすることができる。
条件式（２−１）、（２−２）については、以下の通りである。
上限値は、０．０９９、０．０８８、０．０７６、０．０７、０．０６５、０．０５０、０．０３０のいずれかにすることができる。
条件式（３）については、以下の通りである。
下限値は、−０．０６５、−０．０６０、−０．０５６、−０．０５０、−０．０４６、−０．０３５、−０．０２０のいずれかにすることができる。
上限値は、０．１９０、０．１６４、０．１５０、０．１２１、０．０８０、０．０７７、０．０５０、０．０３のいずれかにすることができる。
条件式（４−１）、（４−２）については、以下の通りである。
下限値は、４．０、５．５、６．０、７．９、８．０、８．７、９．０、９．７、１０．０、１０．３、１０．７、１１．０、１１．７、１２．７１のいずれかにすることができる。
上限値は、４２．９、３５．７、３５．０、３０．０、２８．６、２７．０、２５．０、２１．４６のいずれかにすることができる。
条件式（４−２）については、以下の通りである。
条件式（５）については、以下の通りである。
下限値は、−０．１６、−０．１１、−０．０７、−０．０５、−０．０３、０．００のいずれかにすることができる。
上限値は、０．４０、０．３５、０．３０、０．２５、０．１４、０．１１、０．０５、０．０３のいずれかにすることができる。
条件式（６）については、以下の通りである。
下限値は、０．３、０．５、０．６、０．７、０．８、０．９０のいずれかにすることができる。
上限値は、２．６、２．５、２．３、２．０、１．９、１．８、１．５７のいずれかにすることができる。
条件式（７）については、以下の通りである。
下限値は、２．７、３．５、３．６、４．０、４．５、４．６、５．５４のいずれかにすることができる。
上限値は、８．７、８．４、８．２、７．８、７．３３のいずれかにすることができる。
条件式（８）については、以下の通りである。
下限値は、１．５、２．０、２．１、２．５、２．６、３．１５のいずれかにすることができる。
上限値は、８．１、８．０、７．５、７．２、７．０、６．５、６．４、５．４９のいずれかにすることができる。
条件式（９）については、以下の通りである（単位は「％」）。
下限値は、−１３、−１２、−１１、−９．８０のいずれかにすることができる。
上限値は、３、０、−２、−４．６９のいずれかにすることができる。
条件式（１０）については、以下の通りである。
下限値は、６４、６５、６６、６７、６８．６３、７０、７４、８０のいずれかにすることができる。
上限値は、９５、９１、８６、８１．５４のいずれかにすることができる。
条件式（１１）については、以下の通りである。
下限値は、５３．１、５４、５５．２、５６、５７．３、５９、５９．３８、６５のいずれかにすることができる。
上限値は、９５．４、９０．８、８６．２、８１．５４のいずれかにすることができる。
条件式（１２）については、以下の通りである。
下限値は、０．３、０．５、０．６、０．７、０．８、１．０４のいずれかにすることができる。
上限値は、２．６、２．５、２．２、２．０、１．８、１．６、１．４４のいずれかにすることができる。
条件式（１３）については、以下の通りである。
下限値は、０．３、０．５、０．６、０．７、０．８７、０．９のいずれかにすることができる。
上限値は、２．６、２．５、２．２、２．０、１．８、１．６、１．３４のいずれかにすることができる。
条件式（１４）については、以下の通りである。
下限値は、０．０２６、０．０３、０．０４、０．０６のいずれかにすることができる。
上限値は、０．４３、０．４０、０．３７、０．３５、０．３０、０．２８、０．２４のいずれかにすることができる。
条件式（１５）については、以下の通りである。
下限値は、０．１１、０．１２、０．１３、０．１５のいずれかにすることができる。
上限値は、１．７５、１．７０、１．５０、１．４９、１．２４、１．２０、０．９９のいずれかにすることができる。
条件式（１６）については、以下の通りである。
下限値は、０．３５、０．３７、０．４０、０．４５、０．５０、０．５２、０．６０のいずれかにすることができる。
上限値は、１．３３、１．３０、１．２０、１．１５、１．００、０．９８、０．８１のいずれかにすることができる。
条件式（１７）については、以下の通りである。
下限値は、５４、５５、５６、５８、５９、５９．３８、６３、６７のいずれかにすることができる。
上限値は、９５、９１、８６、８１．５４のいずれかにすることができる。
条件式（１８）については、以下の通りである。
下限値は、１８．５、１８．９０、１９、２０、２３、２５のいずれかにすることができる。
上限値は、９１、８２、７３、６３．８５のいずれかにすることができる。
条件式（１９）については、以下の通りである。
下限値は、２．３、２．６、２．８、２．９、３．２６のいずれかにすることができる。
上限値は、８．５、７．０、６．５、５．６、５．５、４．０９のいずれかにすることができる。
条件式（２０）については、以下の通りである。
下限値は、０．６２、０．７、０．７５、０．８５、０．８７、１．００のいずれかにすることができる。
上限値は、１．８、１．７、１．５、１．３０のいずれかにすることができる。
条件式（２１）については、以下の通りである。
下限値は、０．２５、０．２９、０．３５、０．３８、０．４０、０．４７、０．５３、０．５６のいずれかにすることができる。
上限値は、１．７０、１．５０、１．４０、１．２０、１．１０、１．００、０．８０のいずれかにすることができる。
条件式（２２）については、以下の通りである。
下限値は、０．２５、０．２７、０．３４、０．３５、０．４０、０．４１、０．４５、０．４８のいずれかにすることができる。
上限値は、１．７、１．５０、１．４、１．２０、１．００、０．９０、０．７３のいずれかにすることができる。
条件式（２３）については、以下の通りである。
下限値は、０．６３、０．７５、０．８８、１．００のいずれかにすることができる。
上限値は、１．８３、１．６５、１．４８、１．３０のいずれかにすることができる。
条件式（２４）については、以下の通りである。
下限値は、−０．０５、−０．０１のいずれかにすることができる。
上限値は、０．２、０．１５、０．１、０．０５のいずれかにすることができる。
条件式（２５）については、以下の通りである。
下限値は、２．３、２．７、３．０、３．１、３．２、３．３５、４．０のいずれかにすることができる。
上限値は、１０．５、１０．０、８．９、８．０、７．４、７．０、５．８０のいずれかにすることができる。
条件式（２６）については、以下の通りである。
下限値は、−０．９９、−０．９８、−０．９７、−０．８０、−０．７０のいずれかにすることができる。
上限値は、０．７８、０．７０、０．５０、０．６０、０．４３、０．３０、０．２５、−０．３０のいずれかにすることができる。
条件式（２７）については、以下の通りである。
下限値は、０．０４、０．０５、０．０６、０．０７のいずれかにすることができる。
上限値は、０．２７、０．２５、０．２４、０．２１、０．２０、０．１８のいずれかにすることができる。
条件式（２８）については、以下の通りである（単位は「°（度）」）。
下限値は、３４．７、３５．６、３６．０、３６．１、３６．２、３６．５、３７．０、３７．４、３８．８、３９．０、４１．０のいずれかにすることができる。
上限値は、６３．８、５７．６、５１．３、４５．１のいずれかにすることができる。
条件式（２９）については、以下の通りである。
下限値は、６．８、７．８、８．６、９．５、１０．０、１０．２、１０．４、１０．５、１１．０、１２．０、１２．１、１２．５、１３．５、１４．０、１５．０、１８．０のいずれかにすることができる。
上限値は、１００．０、６５．０、５３．８、５５．０、４５．０、４２．５、３５．０、３１．３、２５．０、２２．０、２０．０のいずれかにすることができる。
条件式（３０）については、以下の通りである。
下限値は、０．８０、０．８５、０．９６、１．１２、１．２７、１．４３のいずれかにすることができる。
上限値は、２．３１、２．１２、２．００、１．９２、１．８０、１．７５、１．７３、１．７０、１．６５のいずれかにすることができる。
条件式（３１）については、以下の通りである。
下限値は、０．８０、１．０９、１．３７、１．６６、１．９４のいずれかにすることができる。
上限値は、５．２８、５．１０、５．０６、５．００、４．８３、４．７０、４．６１、４．３０、４．００、３．５０のいずれかにすることができる。
条件式（３２）については、以下の通りである。
下限値は、０．０５、０．０６、０．０８、０．０９のいずれかにすることができる。
上限値は、０．３３、０．３０、０．２６、０．２５、０．２１、０．２０、０．１６のいずれかにすることができる。
条件式（３３）については、以下の通りである。
下限値は、１．５、２．０、２．９、４．０、４．４、５．０、５．８のいずれかにすることができる。
上限値は、１００、９２、７５、７３、７０、６０、５５、５０、４０、３６．８のいずれかにすることができる。
条件式（３４）については、以下の通りである。
下限値は、３．０、５．９、７．０、８．０、８．９、１０．０、１１．８のいずれかにすることができる。
上限値は、１００、９０、８０、７０、５９、５５、５０、４０、３９．３のいずれかにすることができる。
条件式（３５）については、以下の通りである（単位は「ｍｍ」）。
下限値は、２．８、３．０、３．３、３．４、３．５、３．６、３．８、４．１のいずれかにすることができる。
上限値は、１７．５、１３．０、８．５、４．０のいずれかにすることができる。
【０２０３】
以下に、変倍光学系の実施例を、図面に基づいて詳細に説明する。なお、この実施例によりこの発明が限定されるものではない。
【０２０４】
各実施例のレンズ断面図について説明する。（ａ）は広角端におけるレンズ断面図、（ｂ）は中間焦点距離状態におけるレンズ断面図、（ｃ）は望遠端におけるレンズ断面図を示している。
【０２０５】
各実施例の収差図について説明する。（ａ）は広角端における球面収差（ＳＡ）、（ｂ）は広角端における非点収差（ＡＳ）、（ｃ）は広角端における歪曲収差（ＤＴ）、（ｄ）は広角端における倍率色収差（ＣＣ）を示している。
【０２０６】
また、（ｅ）は中間焦点距離状態における球面収差（ＳＡ）、（ｆ）は中間焦点距離状態における非点収差（ＡＳ）、（ｇ）は中間焦点距離状態における歪曲収差（ＤＴ）、（ｈ）は中間焦点距離状態における倍率色収差（ＣＣ）を示している。
【０２０７】
また、（ｉ）は望遠端における球面収差（ＳＡ）、（ｊ）は望遠端における非点収差（ＡＳ）、（ｋ）は望遠端における歪曲収差（ＤＴ）、（ｌ）は望遠端における倍率色収差（ＣＣ）を示している。
【０２０８】
レンズ断面図と収差図は、共に、無限遠物体合焦時の図である。
【０２０９】
実施例１の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０２１０】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０２１１】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２１２】
第２レンズ群Ｇ２は、物体側に凸面を向けた負メニスカスレンズＬ４と、両凹負レンズＬ５と、両凸正レンズＬ６と、で構成されている。
【０２１３】
第３レンズ群Ｇ３は、両凸正レンズＬ７と、両凸正レンズＬ８と、両凹負レンズＬ９と両凸正レンズＬ１０と、で構成されている。ここで、両凸正レンズＬ８と両凹負レンズＬ９とが接合されている。
【０２１４】
第４レンズ群Ｇ４は、両凹負レンズＬ１１で構成されている。
【０２１５】
第５レンズ群Ｇ５は、両凸正レンズＬ１２と、物体側に凸面を向けた負メニスカスレンズＬ１３と、両凸正レンズＬ１４と、で構成されている。ここで、負メニスカスレンズＬ１３と両凸正レンズＬ１４とが接合されている。
【０２１６】
第１副レンズ群は、両凸正レンズＬ１２で構成されている。第２副レンズ群は、負メニスカスレンズＬ１３と、両凸正レンズＬ１４と、で構成されている。
【０２１７】
変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０２１８】
合焦時、第４レンズ群Ｇ４が光軸に沿って移動し、手ブレ補正時、両凸正レンズＬ１２が光軸に対して垂直な方向に移動する。
【０２１９】
非球面は、両凹負レンズＬ５の両側面と、両凸正レンズＬ７の両側面と、両凹負レンズＬ１１の両側面と、両凸正レンズＬ１２の両側面と、の合計８面に設けられている。
【０２２０】
実施例２の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０２２１】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０２２２】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２２３】
第２レンズ群Ｇ２は、物体側に凸面を向けた負メニスカスレンズＬ４と、両凹負レンズＬ５と、両凸正負レンズＬ６と、で構成されている。
【０２２４】
第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０２２５】
第４レンズ群Ｇ４は、両凹負レンズＬ１０で構成されている。
【０２２６】
第５レンズ群Ｇ５は、両凸正レンズＬ１１と、物体側に凸面を向けた負メニスカスレンズＬ１２と、物体側に凸面を向けた正メニスカスレンズＬ１３と、で構成されている。ここで、負メニスカスレンズＬ１２と正メニスカスレンズＬ１３とが接合されている。
【０２２７】
第１副レンズ群は、両凸正レンズＬ１１で構成されている。第２副レンズ群は、負メニスカスレンズＬ１２と、正メニスカスレンズＬ１３と、で構成されている。
【０２２８】
変倍時、第１レンズ群Ｇ１は固定で、第２レンズ群Ｇ２は像側に移動し、第３レンズ群Ｇ３は物体側に移動し、第４レンズ群Ｇ４は物体側に移動し、第５レンズ群Ｇ５は固定である。開口絞りＳは固定である。
【０２２９】
合焦時、第４レンズ群Ｇ４が光軸に沿って移動し、手ブレ補正時、両凸正レンズＬ１１が光軸に対して垂直な方向に移動する。
【０２３０】
非球面は、両凹負レンズＬ５の両側面と、両凸正レンズＬ７の両側面と、両凹負レンズＬ１０の両側面と、両凸正レンズＬ１１の両側面と、の合計８面に設けられている。
【０２３１】
実施例３の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０２３２】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０２３３】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２３４】
第２レンズ群Ｇ２は、物体側に凸面を向けた負メニスカスレンズＬ４と、両凹負レンズＬ５と、両凸正レンズＬ６と、で構成されている。
【０２３５】
第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０２３６】
第４レンズ群Ｇ４は、両凹負レンズＬ１０で構成されている。
【０２３７】
第５レンズ群Ｇ５は、両凸正レンズＬ１１と、物体側に凸面を向けた負メニスカスレンズＬ１２と、物体側に凸面を向けた正メニスカスレンズＬ１３と、で構成されている。ここで、負メニスカスレンズＬ１２と正メニスカスレンズＬ１３とが接合されている。
【０２３８】
第１副レンズ群は、両凸正レンズＬ１１で構成されている。第２副レンズ群は、負メニスカスレンズＬ１２と、正メニスカスレンズＬ１３と、で構成されている。
【０２３９】
変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０２４０】
合焦時、第４レンズ群Ｇ４が光軸に沿って移動し、手ブレ補正時、両凸正レンズＬ１１が光軸に対して垂直な方向に移動する。
【０２４１】
非球面は、両凹負レンズＬ５の両側面と、両凸正レンズＬ７の両側面と、両凹負レンズＬ１０の両側面と、両凸正レンズＬ１１の両側面と、の合計８面に設けられている。
【０２４２】
実施例４の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０２４３】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０２４４】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２４５】
第２レンズ群Ｇ２は、物体側に凸面を向けた負メニスカスレンズＬ４と、両凹負レンズＬ５と、両凸正負レンズＬ６と、で構成されている。
【０２４６】
第３レンズ群Ｇ３は、両凸正レンズＬ７と、両凸正レンズＬ８と、両凹負レンズＬ９と両凸正レンズＬ１０と、で構成されている。ここで、両凸正レンズＬ８と両凹負レンズＬ９とが接合されている。
【０２４７】
第４レンズ群Ｇ４は、両凹負レンズＬ１１で構成されている。
【０２４８】
第５レンズ群Ｇ５は、両凸正レンズＬ１２と、物体側に凸面を向けた負メニスカスレンズＬ１３と、両凸正レンズＬ１４と、で構成されている。ここで、負メニスカスレンズＬ１３と両凸正レンズＬ１４とが接合されている。
【０２４９】
第１副レンズ群は、両凸正レンズＬ１２で構成されている。第２副レンズ群は、負メニスカスレンズＬ１３と、両凸正レンズＬ１４と、で構成されている。
【０２５０】
変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０２５１】
合焦時、第４レンズ群Ｇ４が光軸に沿って移動し、手ブレ補正時、両凸正レンズＬ１２が光軸に対して垂直な方向に移動する。
【０２５２】
非球面は、両凹負レンズＬ５の両側面と、両凸正レンズＬ７の両側面と、両凹負レンズＬ１１の両側面と、両凸正レンズＬ１２の両側面と、の合計８面に設けられている。
【０２５３】
実施例５の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０２５４】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０２５５】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２５６】
第２レンズ群Ｇ２は、物体側に凸面を向けた負メニスカスレンズＬ４と、両凹負レンズＬ５と、両凸正負レンズＬ６と、で構成されている。
【０２５７】
第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０２５８】
第４レンズ群Ｇ４は、両凹負レンズＬ１０で構成されている。
【０２５９】
第５レンズ群Ｇ５は、両凸正レンズＬ１１と、物体側に凸面を向けた負メニスカスレンズＬ１２と、両凸正レンズＬ１３と、で構成されている。ここで、負メニスカスレンズＬ１２と両凸正レンズＬ１３とが接合されている。
【０２６０】
第１副レンズ群は、両凸正レンズＬ１１で構成されている。第２副レンズ群は、負メニスカスレンズＬ１２と、両凸正レンズＬ１３と、で構成されている。
【０２６１】
変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０２６２】
合焦時、第４レンズ群Ｇ４が光軸に沿って移動し、手ブレ補正時、両凸正レンズＬ１１が光軸に対して垂直な方向に移動する。
【０２６３】
非球面は、両凹負レンズＬ５の両側面と、両凸正レンズＬ７の両側面と、両凹負レンズＬ１０の両側面と、両凸正レンズＬ１１の両側面と、の合計８面に設けられている。
【０２６４】
実施例６の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０２６５】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０２６６】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２６７】
第２レンズ群Ｇ２は、物体側に凸面を向けた負メニスカスレンズＬ４と、両凹負レンズＬ５と、像側に凸面を向けた負メニスカスレンズＬ６と、両凸正負レンズＬ７と、で構成されている。
【０２６８】
第３レンズ群Ｇ３は、両凸正レンズＬ８と、物体側に凸面を向けた負メニスカスレンズＬ９と、両凸正レンズＬ１０と、で構成されている。ここで、負メニスカスレンズＬ９と両凸正レンズＬ１０とが接合されている。
【０２６９】
第４レンズ群Ｇ４は、両凹負レンズＬ１１で構成されている。
【０２７０】
第５レンズ群Ｇ５は、両凸正レンズＬ１２と、物体側に凸面を向けた負メニスカスレンズＬ１３と、両凸正レンズＬ１４と、で構成されている。ここで、負メニスカスレンズＬ１３と両凸正レンズＬ１４とが接合されている。
【０２７１】
第１副レンズ群は、両凸正レンズＬ１２で構成されている。第２副レンズ群は、負メニスカスレンズＬ１３と、両凸正レンズＬ１４と、で構成されている。
【０２７２】
変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０２７３】
合焦時、第４レンズ群Ｇ４が光軸に沿って移動し、手ブレ補正時、両凸正レンズＬ１２が光軸に対して垂直な方向に移動する。
【０２７４】
非球面は、両凹負レンズＬ５の両側面と、両凸正レンズＬ８の両側面と、両凹負レンズＬ１１の両側面と、両凸正レンズＬ１２の両側面と、の合計８面に設けられている。
【０２７５】
実施例７の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０２７６】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０２７７】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２７８】
第２レンズ群Ｇ２は、物体側に凸面を向けた負メニスカスレンズＬ４と、両凹負レンズＬ５と、両凸正負レンズＬ６と、で構成されている。
【０２７９】
第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０２８０】
第４レンズ群Ｇ４は、両凹負レンズＬ１０で構成されている。
【０２８１】
第５レンズ群Ｇ５は、両凸正レンズＬ１１と、物体側に凸面を向けた負メニスカスレンズＬ１２と、両凸正レンズＬ１３と、で構成されている。ここで、負メニスカスレンズＬ１２と両凸正レンズＬ１３とが接合されている。
【０２８２】
第１副レンズ群は、両凸正レンズＬ１１で構成されている。第２副レンズ群は、負メニスカスレンズＬ１２と、両凸正レンズＬ１３と、で構成されている。
【０２８３】
変倍時、第１レンズ群Ｇ１は像側に移動した後、物体側に移動する、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０２８４】
合焦時、第４レンズ群Ｇ４が光軸に沿って移動し、手ブレ補正時、両凸正レンズＬ１１が光軸に対して垂直な方向に移動する。
【０２８５】
非球面は、両凹負レンズＬ５の両側面と、両凸正レンズＬ７の両側面と、両凹負レンズＬ１０の両側面と、両凸正レンズＬ１１の両側面と、の合計８面に設けられている。
【０２８６】
実施例８の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０２８７】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０２８８】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２８９】
第２レンズ群Ｇ２は、物体側に凸面を向けた負メニスカスレンズＬ４と、両凹負レンズＬ５と、両凸正負レンズＬ６と、で構成されている。
【０２９０】
第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０２９１】
第４レンズ群Ｇ４は、両凹負レンズＬ１０で構成されている。
【０２９２】
第５レンズ群Ｇ５は、両凸正レンズＬ１１と、物体側に凸面を向けた負メニスカスレンズＬ１２と、両凸正レンズＬ１３と、で構成されている。ここで、負メニスカスレンズＬ１２と両凸正レンズＬ１３とが接合されている。
【０２９３】
第１副レンズ群は、両凸正レンズＬ１１で構成されている。第２副レンズ群は、負メニスカスレンズＬ１２と、両凸正レンズＬ１３と、で構成されている。
【０２９４】
変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０２９５】
合焦時、第４レンズ群Ｇ４が光軸に沿って移動し、手ブレ補正時、両凸正レンズＬ１１が光軸に対して垂直な方向に移動する。
【０２９６】
非球面は、両凹負レンズＬ５の両側面と、両凸正レンズＬ７の両側面と、両凹負レンズＬ１０の両側面と、両凸正レンズＬ１１の両側面と、の合計８面に設けられている。
【０２９７】
実施例９の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０２９８】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０２９９】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０３００】
第２レンズ群Ｇ２は、物体側に凸面を向けた負メニスカスレンズＬ４と、両凹負レンズＬ５と、両凸正レンズＬ６と、で構成されている。
【０３０１】
第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０３０２】
第４レンズ群Ｇ４は、両凹負レンズＬ１０で構成されている。
【０３０３】
第５レンズ群Ｇ５は、両凸正レンズＬ１１と、物体側に凸面を向けた負メニスカスレンズＬ１２と、両凸正レンズＬ１３と、で構成されている。ここで、負メニスカスレンズＬ１２と両凸正レンズＬ１３とが接合されている。
【０３０４】
第１副レンズ群は、両凸正レンズＬ１１で構成されている。第２副レンズ群は、負メニスカスレンズＬ１２と、両凸正レンズＬ１３と、で構成されている。
【０３０５】
変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは像側に移動する。
【０３０６】
合焦時、第４レンズ群Ｇ４が光軸に沿って移動し、手ブレ補正時、両凸正レンズＬ１１が光軸に対して垂直な方向に移動する。
【０３０７】
非球面は、両凹負レンズＬ５の両側面と、両凸正レンズＬ７の両側面と、両凹負レンズＬ１０の両側面と、両凸正レンズＬ１１の両側面と、の合計８面に設けられている。
【０３０８】
実施例１０の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０３０９】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０３１０】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０３１１】
第２レンズ群Ｇ２は、物体側に凸面を向けた負メニスカスレンズＬ４と、両凹負レンズＬ５と、両凸正レンズＬ６と、で構成されている。
【０３１２】
第３レンズ群Ｇ３は、物体側に凸面を向けた正メニスカスレンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０３１３】
第４レンズ群Ｇ４は、両凹負レンズＬ１０で構成されている。
【０３１４】
第５レンズ群Ｇ５は、両凸正レンズＬ１１と、物体側に凸面を向けた負メニスカスレンズＬ１２と、両凸正レンズＬ１３と、で構成されている。ここで、負メニスカスレンズＬ１２と両凸正レンズＬ１３とが接合されている。
【０３１５】
第１副レンズ群は、両凸正レンズＬ１１で構成されている。第２副レンズ群は、負メニスカスレンズＬ１２と、両凸正レンズＬ１３と、で構成されている。
【０３１６】
変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０３１７】
合焦時、第４レンズ群Ｇ４が光軸に沿って移動し、手ブレ補正時、両凸正レンズＬ１１が光軸に対して垂直な方向に移動する。
【０３１８】
非球面は、両凹負レンズＬ５の両側面と、正メニスカスレンズＬ７の両側面と、両凸正レンズＬ１１の両側面と、の合計６面に設けられている。
【０３１９】
実施例１１の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０３２０】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０３２１】
第１レンズ群Ｇ１は、物体側に凸面を向けた負メニスカスレンズＬ１と、両凸正レンズＬ２と、物体側に凸面を向けた正メニスカスレンズＬ３と、で構成されている。ここで、負メニスカスレンズＬ１と両凸正レンズＬ２とが接合されている。
【０３２２】
第２レンズ群Ｇ２は、両凹負レンズＬ４と、両凹負レンズＬ５と、両凸正負レンズＬ６と、で構成されている。
【０３２３】
第３レンズ群Ｇ３は、物体側に凸面を向けた正メニスカスレンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０３２４】
第４レンズ群Ｇ４は、両凹負レンズＬ１０で構成されている。
【０３２５】
第５レンズ群Ｇ５は、両凸正レンズＬ１１と、物体側に凸面を向けた負メニスカスレンズＬ１２と、両凸正レンズＬ１３と、で構成されている。ここで、負メニスカスレンズＬ１２と両凸正レンズＬ１３とが接合されている。
【０３２６】
第１副レンズ群は、両凸正レンズＬ１１で構成されている。第２副レンズ群は、負メニスカスレンズＬ１２と、両凸正レンズＬ１３と、で構成されている。
【０３２７】
変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０３２８】
合焦時、第４レンズ群Ｇ４が光軸に沿って移動し、手ブレ補正時、両凸正レンズＬ１１が光軸に対して垂直な方向に移動する。
【０３２９】
非球面は、両凹負レンズＬ５の両側面と、正メニスカスレンズＬ７の両側面と、両凹負レンズＬ１０の両側面と、両凸正レンズＬ１１の両側面と、の合計８面に設けられている。
【０３３０】
実施例１２の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０３３１】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０３３２】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０３３３】
第２レンズ群Ｇ２は、物体側に凸面を向けた負メニスカスレンズＬ４と、両凹負レンズＬ５と、両凸正負レンズＬ６と、で構成されている。
【０３３４】
第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０３３５】
第４レンズ群Ｇ４は、両凹負レンズＬ１０で構成されている。
【０３３６】
第５レンズ群Ｇ５は、両凸正レンズＬ１１と、像側に凸面を向けた負メニスカスレンズＬ１２と、物体側に凸面を向けた負メニスカスレンズＬ１３と、両凸正レンズＬ１４と、で構成されている。ここで、両凸正レンズＬ１１と負メニスカスレンズＬ１２とが接合されている。負メニスカスレンズＬ１３と両凸正レンズＬ１４とが接合されている。
【０３３７】
第１副レンズ群は、両凸正レンズＬ１１と、負メニスカスレンズＬ１２と、で構成されている。第２副レンズ群は、負メニスカスレンズＬ１３と、両凸正レンズＬ１４と、で構成されている。
【０３３８】
変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０３３９】
合焦時、第４レンズ群Ｇ４が光軸に沿って移動し、手ブレ補正時、両凸正レンズＬ１１と負メニスカスレンズＬ１２とが光軸に対して垂直な方向に移動する。
【０３４０】
非球面は、両凹負レンズＬ５の両側面と、両凸正レンズＬ７の両側面と、両凹負レンズＬ１０の両側面と、両凸正レンズＬ１１の物体側面と、の合計７面に設けられている。
【０３４１】
実施例１３の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０３４２】
像側レンズ群ＧＩは、第１領域に属するレンズと、第２領域に属するレンズと、で構成されている。第４レンズ群Ｇ４を構成するレンズが、第１領域に属している。第５レンズ群Ｇ５を構成するレンズが、第２領域に属している。
【０３４３】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。
【０３４４】
第２レンズ群Ｇ２は、物体側に凸面を向けた負メニスカスレンズＬ４と、両凹負レンズＬ５と、両凸正レンズＬ６と、で構成されている。
【０３４５】
第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０３４６】
第４レンズ群Ｇ４は、両凹負レンズＬ１０で構成されている。
【０３４７】
第５レンズ群Ｇ５は、両凸正レンズＬ１１と、物体側に凸面を向けた負メニスカスレンズＬ１２と、両凸正レンズＬ１３と、で構成されている。ここで、負メニスカスレンズＬ１２と両凸正レンズＬ１３とが接合されている。
【０３４８】
第１副レンズ群は、両凸正レンズＬ１１で構成されている。第２副レンズ群は、負メニスカスレンズＬ１２と、両凸正レンズＬ１３と、で構成されている。
【０３４９】
変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０３５０】
合焦時、第４レンズ群Ｇ４が光軸に沿って移動し、手ブレ補正時、両凸正レンズＬ１１が光軸に対して垂直な方向に移動する。
【０３５１】
非球面は、両凹負レンズＬ５の両側面と、両凸正レンズＬ７の両側面と、両凹負レンズＬ１０の両側面と、両凸正レンズＬ１１の両側面と、の合計８面に設けられている。
【０３５２】
実施例１４の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する像側レンズ群ＧＩと、で構成されている。開口絞りＳは、第２レンズ群Ｇ２と第３レンズ群Ｇ３との間に配置されている。
【０３５３】
像側レンズ群ＧＩは、第１領域に属するレンズと、第２領域に属するレンズと、で構成されている。第４レンズ群Ｇ４において最も物体側に位置するレンズが、第１領域に属している。残りのレンズが、第２領域に属している。
【０３５４】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０３５５】
第２レンズ群Ｇ２は、物体側に凸面を向けた負メニスカスレンズＬ４と、両凹負レンズＬ５と、両凸正レンズＬ６と、で構成されている。
【０３５６】
第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０３５７】
第４レンズ群Ｇ４は、両凹負レンズＬ１０と、両凸正レンズＬ１１と、物体側に凸面を向けた負メニスカスレンズＬ１２と、両凸正レンズＬ１３と、で構成されている。ここで、負メニスカスレンズＬ１２と両凸正レンズＬ１３とが接合されている。
【０３５８】
変倍時、第１レンズ群Ｇ１は像側に移動した後、物体側に移動し、第２レンズ群Ｇ２は像側に移動し、第３レンズ群Ｇ３は物体側に移動し、第４レンズ群Ｇ４は固定である。開口絞りＳは固定である。
【０３５９】
合焦時、両凹負レンズＬ１０が光軸に沿って移動し、手ブレ補正時、両凸正レンズＬ１１が光軸に対して垂直な方向に移動する。
【０３６０】
非球面は、両凹負レンズＬ５の両側面と、両凸正レンズＬ７の両側面と、両凹負レンズＬ１０の両側面と、両凸正レンズＬ１１の両側面と、の合計８面に設けられている。
【０３６１】
２つの基準でレンズ群を区分けした結果を表１に示す。隣に位置するレンズとの間隔が変化するか否かで、レンズ群を区分けすることができる。隣に位置するレンズとの間隔は、変倍時や合焦時に変化する。変倍時の間隔変化を基準にして区分けした場合と、合焦時の間隔変化を基準にして区分けした場合とで、レンズ群の区分けは異なる。
【０３６２】
例えば、実施例１４では、変倍時の間隔変化を基準にして区分けした場合、以下のようになる。
第１レンズ群：Ｌ１、Ｌ２、Ｌ３
第２レンズ群：Ｌ４、Ｌ５、Ｌ６
第３レンズ群：Ｌ７、Ｌ８、Ｌ９
第４レンズ群：Ｌ１０、Ｌ１１、Ｌ１２、Ｌ１３
【０３６３】
合焦時の間隔変化を基準にして区分けした場合、以下のようになる。
第１レンズ群：Ｌ１、Ｌ２、Ｌ３、Ｌ４、Ｌ５、Ｌ６、Ｌ７、Ｌ８、Ｌ９
第２レンズ群：Ｌ１０
第３レンズ群：Ｌ１１、Ｌ１２、Ｌ１３
【０３６４】
このように、変倍時の間隔変化を基準にして区分けした場合と合焦時の間隔変化を基準にして区分けした場合とでは、レンズ群の群数や１つのレンズ群に含まれるレンズの枚数が異なる。
【０３６５】
最も少ないレンズ枚数で構成されたレンズのまとまりを１つのレンズ群とすると、変倍時の間隔変化と合焦時の間隔変化を基準にした場合は、以下のようになる。
第１レンズ群：Ｌ１、Ｌ２、Ｌ３
第２レンズ群：Ｌ４、Ｌ５、Ｌ６
第３レンズ群：Ｌ７、Ｌ８、Ｌ９
第４レンズ群：Ｌ１０
第５レンズ群：Ｌ１１、Ｌ１２、Ｌ１３
【０３６６】
表１では、変倍時のみの間隔変化でレンズ群を区分けした場合を「区分け１」とし、変倍時と合焦時の間隔変化でレンズ群を区分けした場合を「区分け２」としている。
［表１］
2017187629.tif 000003
【０３６７】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面である。
【０３６８】
また、ズームデータにおいて、ｆは変倍光学系の焦点距離、ＦＮＯ．はＦナンバー、ωは半画角、ＩＨは像高、ＬＴＬは光学系の全長、ＢＦはバックフォーカス、である。バックフォーカスは、最も像側の光学面から近軸像面までの距離である。全長は、最も物体側のレンズ面から最も像側のレンズ面までの距離にバックフォーカスを加えたものである。ＷＥは広角端、ＳＴは中間焦点距離状態、ＴＥは望遠端である。
【０３６９】
また、各群焦点距離において、ｆ１、ｆ２…は各レンズ群の焦点距離である。
【０３７０】
また、非球面形状は、光軸方向をｚ、光軸に直交する方向をｙにとり、円錐係数をｋ、非球面係数をＡ４、Ａ６、Ａ８、Ａ１０、Ａ１２…としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋…
また、非球面係数において、「e−ｎ」（ｎは整数）は、「１０-n」を示している。なお、これら諸元値の記号は後述の実施例の数値データにおいても共通である。
【０３７１】
数値実施例１
単位  ｍｍ
面データ
面番号         r          d           nd         νd
物面         ∞         ∞
1        64.888      1.600      1.92119      23.96
2        33.816      6.000      1.69680      55.53
3        93.839      0.250
4        50.074      3.950      1.90043      37.37
5       182.722      可変
6       129.581      0.950      1.73400      51.47
7        10.626      6.850
8*      -24.505      0.800      1.80610      40.92
9*       18.035      4.640
10        66.156      3.400      1.92119      23.96
11       -46.676      可変
12(絞り)    ∞        可変
13*       23.155      5.524      1.80610      40.92
14*      -98.693      3.934
15        18.761      3.200      1.49700      81.54
16      -933.988      1.000      1.92119      23.96
17        13.426      1.000
18        20.814      3.900      1.64000      60.08
19       -35.161      可変
20*      -29.981      0.500      1.59201      67.02
21*       16.255      可変
22*       14.288      3.880      1.58313      59.38
23*      -40.359      1.000
24        20.801      1.000      1.95375      32.32
25         8.900      6.031      1.61800      63.40
26       -31.832      1.000
27          ∞        0.500      1.51633      64.14
28          ∞
像面         ∞
非球面データ
第８面
k=0.0000
A4=1.7482e-004,A6=-2.4934e-006,A8=1.0920e-008,
A10=0.0000e+000,A12=0.0000e+000
第９面
k=0.0000
A4=6.8473e-005,A6=-2.7581e-006,A8=1.4844e-008,
A10=0.0000e+000,A12=0.0000e+000
第１３面
k=0.0000
A4=-8.7499e-006,A6=2.9691e-008,A8=-9.9775e-010,
A10=0.0000e+000,A12=0.0000e+000
第１４面
k=0.0000
A4=8.0659e-006,A6=1.1496e-009,A8=-9.9167e-010,
A10=0.0000e+000,A12=0.0000e+000
第２０面
k=0.0000
A4=2.2878e-005,A6=-4.7492e-008,A8=0.0000e+000,
A10=0.0000e+000,A12=0.0000e+000
第２１面
k=0.0000
A4=-4.7326e-006,A6=-4.0833e-007,A8=0.0000e+000,
A10=0.0000e+000,A12=0.0000e+000
第２２面
k=0.0000
A4=8.8542e-006,A6=4.8420e-008,A8=-5.7167e-009,
A10=0.0000e+000,A12=0.0000e+000
第２３面
k=0.0000
A4=1.2194e-004,A6=-3.1253e-007,A8=-4.6580e-009,
A10=0.0000e+000,A12=0.0000e+000
ズームデータ
ＷＥ         ＳＴ         ＴＥ
ｆ(mm)          3.879       13.893       54.897
ＦＮＯ．        1.618        2.749        3.267
２ω           92.1         29.1          7.6
ＩＨ            3.75         3.75         3.75
ＬＴＬ        135.256      135.256      135.256
ＢＦ(mm)        4.837        4.837        4.837
d5              0.603       22.474       43.510
d11            44.183       22.312        1.276
d12            16.443        1.397        1.198
d19             1.800        7.622       19.144
d21             7.981       17.205        5.882
各群焦点距離
f1=75.59      f2=-10.64      f3=21.17     f4=-17.73     f5=13.612
【０３７２】
数値実施例２
単位  ｍｍ
面データ
面番号         r          d           nd         νd
物面         ∞         ∞
1        79.899      1.400      1.85478      24.80
2        32.607      8.940      1.49700      81.54
3      1000.000      0.150
4        35.987      5.450      1.88300      40.76
5       164.946      可変
6       104.033      0.800      1.75500      52.32
7         9.400      6.078
8*      -16.013      0.800      1.85135      40.10
9*       25.928      0.820
10        34.051      2.700      2.00069      25.46
11       -40.768      可変
12(絞り)    ∞        可変
13*       18.994      3.400      1.82080      42.71
14*      -71.296      0.100
15        22.007      0.550      1.95375      32.32
16         9.099      5.700      1.59282      68.63
17       -23.038      可変
18*      -14.983      0.550      1.51633      64.14
19*       10.800      可変
20*       17.448      5.108      1.49700      81.54
21*      -10.532      0.930
22        19.003      0.500      1.92286      18.90
23         8.000      3.421      1.77250      49.60
24        35.643      1.296
25          ∞        0.500      1.51633      64.14
26          ∞
像面         ∞
非球面データ
第８面
k=0.0000
A4=1.9595e-004,A6=-6.1387e-006,A8=1.0994e-007,
A10=-1.1196e-009,A12=4.9945e-012
第９面
k=0.0000
A4=1.1314e-004,A6=-4.9909e-006,A8=7.6399e-008,
A10=-4.9153e-010,A12=8.8021e-013
第１３面
k=0.0000
A4=-3.9083e-005,A6=6.4009e-007,A8=-2.5768e-008,
A10=7.0236e-011,A12=0.0000e+000
第１４面
k=0.0000
A4=2.1155e-005,A6=1.4442e-007,A8=-2.0687e-008,
A10=4.8026e-011,A12=0.0000e+000
第１８面
k=0.0000
A4=-4.6715e-004,A6=1.7233e-005,A8=-1.8295e-007,
A10=-2.7967e-010,A12=0.0000e+000
第１９面
k=0.0000
A4=-7.2145e-004,A6=1.1989e-005,A8=-6.8457e-008,
A10=-1.2951e-009,A12=0.0000e+000
第２０面
k=0.0000
A4=-4.1120e-005,A6=-1.9540e-006,A8=-4.5284e-008,
A10=4.1918e-010,A12=0.0000e+000
第２１面
k=0.0000
A4=3.1290e-004,A6=-1.9889e-006,A8=-3.3856e-008,
A10=3.7000e-010,A12=0.0000e+000
ズームデータ
ＷＥ         ＳＴ         ＴＥ
ｆ(mm)          4.200       13.740       50.997
ＦＮＯ．        1.514        1.786        1.942
２ω           85.3         28.1          7.7
ＩＨ            3.63         3.63         3.63
ＬＴＬ         99.2657      99.2657      99.2657
ＢＦ(mm)        5.126        5.126        5.126
d5              0.602       18.308       31.055
d11            31.119       13.413        0.666
d12             7.153        3.006        0.433
d17             2.470        5.001        7.277
d19             5.399        7.015        7.312
各群焦点距離
f1=53.36     f2=-9.63     f3=13.21     f4=-12.07     f5=12.04
【０３７３】
数値実施例３
単位  ｍｍ
面データ
面番号         r          d           nd         νd
物面         ∞         ∞
1        75.005      1.400      1.85478      24.80
2        35.351      9.100      1.49700      81.54
3       556.142      0.150
4        37.613      5.301      1.83481      42.73
5       144.781      可変
6       112.563      0.800      1.77250      49.60
7         9.600      6.939
8*      -18.115      0.800      1.85135      40.10
9*       19.642      0.973
10        29.276      3.050      2.00069      25.46
11       -40.460      可変
12(絞り)    ∞        可変
13*       19.371      3.417      1.80610      40.88
14*      -95.803      1.305
15        17.752      1.543      2.00069      25.46
16         9.050      4.903      1.49700      81.54
17       -31.352      可変
18*      -26.225      0.900      1.51633      64.14
19*       11.820      可変
20*       23.406      4.507      1.59201      67.02
21*      -13.918      0.978
22        31.153      0.523      1.92286      20.88
23         8.029      3.973      1.90043      37.37
24        56.536      1.056
25          ∞        0.500      1.51633      64.14
26          ∞
像面         ∞
非球面データ
第８面
k=0.0000
A4=1.8040e-004,A6=-5.7306e-006,A8=1.2223e-007,
A10=-1.3608e-009,A12=5.5850e-012
第９面
k=0.0000
A4=9.3568e-005,A6=-5.6706e-006,A8=1.2598e-007,
A10=-1.4641e-009,A12=6.6486e-012
第１３面
k=0.0000
A4=-1.5444e-006,A6=-3.8162e-007,A8=7.5409e-009,
A10=-1.4410e-010,A12=-7.4949e-013
第１４面
k=0.0000
A4=3.2224e-005,A6=-5.6443e-007,A8=9.1400e-009,
A10=-2.2515e-010,A12=2.2946e-013
第１８面
k=0.0000
A4=-4.6655e-004,A6=4.0797e-006,A8=1.1116e-007,
A10=-3.0034e-010,A12=-2.9231e-011
第１９面
k=0.0000
A4=-5.5913e-004,A6=-3.7692e-007,A8=1.5657e-007,
A10=1.9342e-009,A12=-8.2074e-011
第２０面
k=0.0000
A4=2.4142e-005,A6=-3.4236e-006,A8=3.9403e-008,
A10=-1.0748e-009,A12=0.0000e+000
第２１面
k=0.0000
A4=1.9598e-004,A6=-2.1474e-006,A8=-7.1613e-009,
A10=-3.4423e-010,A12=0.0000e+000
ズームデータ
ＷＥ         ＳＴ         ＴＥ
ｆ(mm)          4.120       14.360       58.297
ＦＮＯ．        1.484        2.397        3.013
２ω           87.4         28.0          7.0
ＩＨ            3.75         3.75         3.75
ＬＴＬ        110.266      110.266      110.266
ＢＦ(mm)        4.886        4.886        4.886
d5              0.604       20.072       34.919
d11            35.519       16.051        1.204
d12             9.690        3.553        1.192
d17             2.297        5.869       10.080
d19             6.708        9.273        7.423
各群焦点距離
f1=58.80    f2=-9.82     f3=15.69     f4=-15.65     f5=12.89
【０３７４】
数値実施例４
単位  ｍｍ
面データ
面番号         r          d           nd         νd
物面         ∞         ∞
1        76.710      1.600      2.00100      29.13
2        37.117      7.550      1.69680      55.53
3       201.575      0.250
4        40.159      4.858      1.72916      54.68
5       132.825      可変
6       148.223      0.950      1.77250      49.60
7         9.956      6.392
8*      -25.165      0.800      1.80610      40.92
9*       18.527      4.337
10        64.054      3.400      1.92119      23.96
11       -46.576      可変
12(絞り)    ∞        可変
13*       24.473      4.017      1.80610      40.92
14*      -62.292      3.643
15        24.045      3.200      1.49700      81.54
16      -556.986      1.000      1.92119      23.96
17        15.005      1.095
18        22.945      3.900      1.59282      68.63
19       -27.960      可変
20*      -25.861      0.500      1.61881      63.85
21*       18.383      可変
22*       18.201      4.600      1.61881      63.85
23*      -32.610      2.568
24        16.399      1.000      2.00069      25.46
25         8.700      5.000      1.61800      63.40
26       -43.134      1.128
27          ∞        0.300      1.51633      64.14
28          ∞
像面         ∞
非球面データ
第８面
k=0.0000
A4=1.6593e-004,A6=-2.5010e-006,A8=1.2225e-008,
A10=0.0000e+000,A12=0.0000e+000
第９面
k=0.0000
A4=4.9560e-005,A6=-2.6403e-006,A8=1.4805e-008,
A10=0.0000e+000,A12=0.0000e+000
第１３面
k=0.0000
A4=-7.5125e-006,A6=5.6081e-010,A8=-2.6193e-010,
A10=0.0000e+000,A12=0.0000e+000
第１４面
k=0.0000
A4=1.4926e-005,A6=-4.4055e-008,A8=0.0000e+000,
A10=0.0000e+000,A12=0.0000e+000
第２０面
k=0.0000
A4=-6.3082e-005,A6=1.0321e-006,A8=0.0000e+000,
A10=0.0000e+000,A12=0.0000e+000
第２１面
k=0.0000
A4=-1.0288e-004,A6=5.8458e-007,A8=0.0000e+000,
A10=0.0000e+000,A12=0.0000e+000
第２２面
k=0.0000
A4=1.7962e-005,A6=-1.7638e-007,A8=-3.2203e-009,
A10=0.0000e+000,A12=0.0000e+000
第２３面
k=0.0000
A4=1.0249e-004,A6=-3.9344e-007,A8=-2.9394e-009,
A10=0.0000e+000,A12=0.0000e+000
ズームデータ
ＷＥ         ＳＴ         ＴＥ
ｆ (mm)         3.879       14.587       54.900
ＦＮＯ．        1.629        2.899        3.904
２ω           91.8         27.9          7.7
ＩＨ            3.75         3.75         3.75
ＬＴＬ        134.108      134.108      134.108
ＢＦ(mm)        4.836        4.836        4.836
d5              0.600       23.230       40.809
d11            41.479       18.849        1.270
d12            14.640        2.035        1.200
d19             1.900        8.491       19.033
d21             9.993       16.007        6.300
各群焦点距離
f1=70.72     f2=-9.96     f3=20.66      f4=-17.29     f5=13.54
【０３７５】
数値実施例５
単位  ｍｍ
面データ
面番号         r          d           nd         νd
物面         ∞         ∞
1       199.306      1.399      1.80000      29.84
2        32.031      9.078      1.49700      81.54
3       851.036      0.142
4        41.945      5.484      1.88300      40.76
5       447.322      可変
6       379.186      0.804      1.72916      54.68
7        10.430      6.056
8*      -47.652      0.700      1.85135      40.10
9*       13.546      2.670
10        41.658      3.435      2.00069      25.46
11       -59.189      可変
12(絞り)    ∞        可変
13*       16.453      3.782      1.80610      40.88
14*     -327.730      3.188
15        29.515      0.548      2.00330      28.27
16         9.664      7.671      1.59282      68.63
17       -35.054      可変
18*      -90.511      0.579      1.59201      67.02
19*       10.214      可変
20*       10.590      5.579      1.49700      81.54
21*      -23.498      0.485
22       292.471      0.780      2.00330      28.27
23         8.983      5.674      1.75500      52.32
24       -18.709      1.124
25          ∞        0.500      1.51633      64.14
26          ∞
像面         ∞
非球面データ
第８面
k=0.0000
A4=2.1442e-004,A6=-6.7628e-006,A8=7.8379e-008,
A10=-4.3245e-010,A12=8.9576e-013
第９面
k=0.0000
A4=2.1161e-005,A6=-6.7283e-006,A8=8.0061e-008,
A10=-3.6146e-010,A12=1.3238e-013
第１３面
k=0.0000
A4=-1.9429e-005,A6=2.5853e-007,A8=-3.0991e-009,
A10=1.5612e-011,A12=0.0000e+000
第１４面
k=0.0000
A4=1.8155e-005,A6=3.4291e-007,A8=-4.9516e-009,
A10=2.7105e-011,A12=0.0000e+000
第１８面
k=0.0000
A4=2.6163e-004,A6=-8.5542e-006,A8=9.0393e-008,
A10=3.4898e-010,A12=0.0000e+000
第１９面
k=0.0000
A4=2.2932e-004,A6=-8.2385e-006,A8=1.3535e-009,
A10=2.2109e-009,A12=0.0000e+000
第２０面
k=0.0000
A4=-4.4389e-006,A6=4.2930e-007,A8=-3.0414e-008,
A10=4.3590e-010,A12=0.0000e+000
第２１面
k=0.0000
A4=3.6450e-004,A6=-2.4905e-006,A8=-9.7499e-010,
A10=4.6858e-010,A12=0.0000e+000
ズームデータ
ＷＥ         ＳＴ         ＴＥ
ｆ(mm)          3.650       12.992       52.666
ＦＮＯ．        1.632        2.700        4.550
２ω           97.7         32.1          8.1
ＩＨ            3.90         3.90         3.90
ＬＴＬ        134.694      134.694      134.694
ＢＦ(mm)        4.954        4.954        4.954
d5              0.603       21.952       36.810
d11            37.203       15.854        0.996
d12            24.545       10.467        1.276
d17             1.891        6.392       25.644
d19             7.444       17.021        6.960
各群焦点距離
f1=72.82     f2=-9.93     f3=18.45     f4=-15.47     f5=14.11
【０３７６】
数値実施例６
単位  ｍｍ
面データ
面番号         r          d           nd         νd
物面         ∞         ∞
1       160.145      1.400      1.80000      29.84
2        32.500      9.170      1.49700      81.54
3       847.880      0.150
4        41.118      5.420      1.88300      40.76
5       324.195      可変
6       307.320      0.800      1.75500      52.32
7        10.350      6.112
8*      -54.466      0.700      1.82080      42.71
9*       16.731      2.792
10       -35.832      1.504      2.00100      29.13
11       -86.581      0.150
12        74.375      2.800      2.00069      25.46
13       -34.468      可変
14(絞り)    ∞        可変
15*       15.689      3.700      1.80610      40.88
16*     -823.175      2.682
17        27.870      0.549      2.00330      28.27
18         9.161      6.213      1.59282      68.63
19       -52.888      可変
20*      -60.286      0.550      1.49700      81.54
21*       10.800      可変
22*       10.697      5.700      1.49700      81.54
23*      -25.946      1.000
24       207.060      0.500      2.00100      29.13
25         8.700      5.300      1.74100      52.64
26       -19.281      1.000
27          ∞        0.500      1.51633      64.14
28          ∞
像面         ∞
非球面データ
第８面
k=0.0000
A4=1.7269e-004,A6=-4.9963e-006,A8=5.4713e-008,
A10=-2.7019e-010,A12=2.7246e-013
第９面
k=0.0000
A4=4.4452e-005,A6=-4.9766e-006,A8=5.7002e-008,
A10=-2.6888e-010,A12=1.5129e-013
第１５面
k=0.0000
A4=-1.6223e-005,A6=8.2504e-008,A8=-5.5426e-010,
A10=7.4366e-012,A12=0.0000e+000
第１６面
k=0.0000
A4=1.8730e-005,A6=9.2568e-008,A8=-3.3102e-010,
A10=5.4108e-012,A12=0.0000e+000
第２０面
k=0.0000
A4=6.7698e-005,A6=-3.6946e-006,A8=6.8717e-008,
A10=-1.1558e-010,A12=0.0000e+000
第２１面
k=0.0000
A4=1.6916e-005,A6=-4.2381e-006,A8=2.7232e-008,
A10=1.0014e-009,A12=0.0000e+000
第２２面
k=0.0000
A4=-1.4544e-006,A6=8.5123e-007,A8=-4.1792e-008,
A10=4.5516e-010,A12=0.0000e+000
第２３面
k=0.0000
A4=3.6019e-004,A6=-2.3466e-006,A8=-1.3355e-008,
A10=4.7183e-010,A12=0.0000e+000
ズームデータ
ＷＥ        ＳＴ         ＴＥ
ｆ(mm)          3.780       13.740       54.613
ＦＮＯ．        1.632        2.500        3.750
２ω           96.0         30.4          7.9
ＩＨ            3.90         3.90         3.90
ＬＴＬ        135.767      135.767      135.767
ＢＦ(mm)        4.830        4.830        4.830
d5              0.603       21.848       36.537
d13            36.926       15.681        0.992
d14            24.308       10.064        1.292
d19             1.799        6.269       22.454
d21            10.109       19.883       12.470
各群焦点距離
f1=69.31     f2=-10.33     f3=18.95     f4=-18.38     f5=14.89
【０３７７】
数値実施例７
単位  ｍｍ
面データ
面番号         r          d           nd         νd
物面         ∞         ∞
1        96.913      1.600      1.92119      23.96
2        35.025      6.931      1.51633      64.14
3       275.273      0.250
4        42.405      4.600      1.91082      35.25
5       264.575      可変
6       264.575      0.950      1.78800      47.37
7        10.900      5.812
8*     -120.313      0.800      1.85135      40.10
9*       15.518      5.151
10        45.483      2.700      1.92286      20.88
11      -120.498      可変
12(絞り)    ∞        可変
13*       19.628      4.725      1.80610      40.88
14*     -850.000      5.541
15        28.431      0.650      1.85478      24.80
16        10.174      5.150      1.49700      81.54
17       -30.905      可変
18*      -58.733      0.700      1.58313      59.38
19*       11.744      可変
20*       13.004      3.800      1.58313      59.38
21*     -850.000      3.800
22        18.320      0.600      2.00100      29.13
23         8.400      5.727      1.61800      63.40
24       -31.484      2.042
25          ∞        0.500      1.51633      64.14
26          ∞
像面         ∞
非球面データ
第８面
k=0.0000
A4=1.5897e-004,A6=-4.6243e-006,A8=6.0294e-008,
A10=-4.3744e-010,A12=1.4215e-012
第９面
k=0.0000
A4=5.4622e-005,A6=-4.8681e-006,A8=6.2006e-008,
A10=-4.3749e-010,A12=1.3677e-012
第１３面
k=0.0000
A4=-9.8650e-007,A6=-3.4395e-007,A8=9.0517e-009,
A10=-1.4953e-010,A12=9.3464e-013
第１４面
k=0.0000
A4=2.4705e-005,A6=-4.0759e-007,A8=1.0962e-008,
A10=-2.0152e-010,A12=1.4434e-012
第１８面
k=0.0000
A4=1.5541e-004,A6=-6.7393e-006,A8=2.3846e-007,
A10=-5.0744e-009,A12=5.5675e-011
第１９面
k=0.0000
A4=1.4156e-004,A6=-9.5105e-006,A8=3.6964e-007,
A10=-8.9290e-009,A12=1.0492e-010
第２０面
k=0.0000
A4=2.1326e-005,A6=-1.5883e-006,A8=2.2701e-008,
A10=-3.9311e-010,A12=1.3883e-012
第２１面
k=0.0000
A4=8.9785e-005,A6=-2.2240e-006,A8=4.2912e-008,
A10=-8.1741e-010,A12=4.8550e-012
ズームデータ
ＷＥ         ＳＴ         ＴＥ
ｆ(mm)          3.845       13.900       77.003
ＦＮＯ．        1.639        2.771        3.979
２ω           94.8         31.2          5.8
ＩＨ            3.90         3.90         3.90
ＬＴＬ        135.2667     135.2528     139.7458
ＢＦ(mm)        5.871        5.871        5.871
d5              0.395       20.0741      43.8461
d11            39.582       19.889        0.610
d12            25.298        4.990        0.583
d17             1.752        8.023       19.687
d19             2.881       16.918        9.661
各群焦点距離
f1=69.54     f2=-10.66     f3=21.10     f4=-16.72     f5=15.86
【０３７８】
数値実施例８
単位  ｍｍ
面データ
面番号         r          d           nd         νd
物面         ∞         ∞
1       174.579      1.400      1.80000      29.84
2        35.672      8.850      1.49700      81.54
3       846.852      0.142
4        46.242      5.450      1.88300      40.76
5       503.947      可変
6       608.187      0.800      1.72916      54.68
7        11.045      6.440
8*      -41.892      0.800      1.85135      40.10
9*       15.068      3.754
10        54.830      2.850      2.00069      25.46
11       -49.253      可変
12(絞り)    ∞        可変
13*       16.798      4.877      1.80610      40.88
14*    -2972.491      3.910
15        25.830      0.550      1.85478      24.80
16         9.052      5.700      1.49700      81.54
17       -40.825      可変
18*      -31.896      1.380      1.49700      81.54
19*       10.200      可変
20*       10.500      5.000      1.49700      81.54
21*      -20.340      0.700
22        95.162      1.615      1.90043      37.37
23         8.501      5.906      1.59282      68.63
24       -14.871      1.128
25          ∞        0.500      1.51633      64.14
26          ∞
像面         ∞
非球面データ
第８面
k=0.0000
A4=2.2800e-004,A6=-6.3166e-006,A8=7.5900e-008,
A10=-4.8721e-010,A12=1.3111e-012
第９面
k=0.0000
A4=7.6805e-005,A6=-6.4505e-006,A8=8.1051e-008,
A10=-5.0046e-010,A12=1.2224e-012
第１３面
k=0.0000
A4=-1.3874e-005,A6=9.2101e-008,A8=-1.2750e-009,
A10=4.5831e-012,A12=0.0000e+000
第１４面
k=0.0000
A4=1.8428e-005,A6=1.1861e-007,A8=-1.8441e-009,
A10=7.7544e-012,A12=0.0000e+000
第１８面
k=0.0000
A4=3.2017e-004,A6=-8.1773e-006,A8=1.1561e-007,
A10=-5.8900e-010,A12=0.0000e+000
第１９面
k=0.0000
A4=2.8555e-004,A6=-9.2426e-006,A8=1.1518e-007,
A10=-5.4828e-010,A12=0.0000e+000
第２０面
k=0.0000
A4=-2.3455e-005,A6=-6.4648e-007,A8=-6.5063e-009,
A10=4.9943e-011,A12=0.0000e+000
第２１面
k=0.0000
A4=3.0743e-004,A6=-2.5978e-006,A8=1.4475e-008,
A10=8.9142e-012,A12=0.0000e+000
ズームデータ
ＷＥ         ＳＴ         ＴＥ
ｆ(mm)          3.717       12.998       53.454
ＦＮＯ．        1.633        2.590        3.821
２ω           97.4         32.8          8.2
ＩＨ            4.00         4.00         4.00
ＬＴＬ        135.766      135.766      135.766
ＢＦ(mm)        4.957        4.957        4.957
d5              0.602       22.368       40.929
d11            41.325       19.559        0.998
d12            23.659        7.523        1.295
d17             1.797        6.550       21.462
d19             3.301       14.684        6.000
各群焦点距離
f1=75.26     f2=-11.08     f3=19.75     f4= -15.38    f5=14.11
【０３７９】
数値実施例９
単位  ｍｍ
面データ
面番号         r          d           nd         νd
物面         ∞         ∞
1       138.923      1.400      1.80000      29.84
2        32.000      8.420      1.49700      81.54
3       900.000      0.142
4        40.621      5.150      1.88300      40.76
5       349.130      可変
6       510.510      0.800      1.77250      49.60
7        10.874      6.004
8*      -94.103      0.800      1.85135      40.10
9*       11.318      2.546
10        26.786      3.200      2.00069      25.46
11       -86.912      可変
12(絞り)    ∞        可変
13*       17.871      3.600      1.80610      40.88
14*     -404.771      4.908
15        22.846      0.550      1.85478      24.80
16         9.050      5.650      1.49700      81.54
17       -29.055      可変
18*      -28.257      1.367      1.51633      64.14
19*        9.943      可変
20*       10.280      5.000      1.59201      67.02
21*      -45.543      0.700
22        49.687      0.550      1.91082      35.25
23         8.600      5.920      1.59282      68.63
24       -18.425      1.000
25          ∞        0.500      1.51633      64.14
26          ∞
像面         ∞
非球面データ
k=0.0000
A4=1.8190e-004,A6=-5.7661e-006,A8=7.3262e-008,
A10=-4.7767e-010,A12=1.3249e-012
第９面
k=0.0000
A4=1.1930e-006,A6=-6.7418e-006,A8=8.6494e-008,
A10=-5.6854e-010,A12=1.2596e-012
第１３面
k=0.0000
A4=-1.4596e-005,A6=1.4335e-007,A8=-1.9171e-009,
A10=3.4700e-012,A12=-5.7200e-013
第１４面
k=0.0000
A4=1.7013e-005,A6=1.8383e-007,A8=-9.3810e-010,
A10=-7.9445e-011,A12=1.2558e-013
第１８面
k=0.0000
A4=4.6332e-004,A6=-1.3480e-005,A8=1.9623e-007,
A10=-1.7688e-009,A12=1.6088e-011
第１９面
k=0.0000
A4=4.2957e-004,A6=-1.2031e-005,A8=-1.7874e-008,
A10=4.1558e-009,A12=-3.6215e-011
第２０面
k=0.0000
A4=-2.3527e-005,A6=-1.7052e-007,A8=-5.3948e-008,
A10=1.3655e-009,A12=-1.6298e-011
第２１面
k=0.0000
A4=2.0996e-004,A6=-3.6532e-006,A8=6.6124e-008,
A10=-9.4887e-010,A12=8.6667e-013
ズームデータ
ＷＥ         ＳＴ         ＴＥ
ｆ(mm)          4.055       14.500       57.388
ＦＮＯ．        1.429        2.788        3.987
２ω           93.1         30.9          7.9
ＩＨ            4.00         4.00         4.00
ＬＴＬ        123.266      123.266      123.266
ＢＦ(mm)        4.830        4.830        4.830
d5              0.601       20.039       38.095
d11            30.793       15.355        1.299
d12            25.203        7.014        1.194
d17             1.797        6.497       15.138
d19             3.335       12.824        6.003
各群焦点距離
f1=64.83     f2=-10.58     f3=18.32     f4=-14.07     f5=13.84
【０３８０】
数値実施例１０
単位  ｍｍ
面データ
面番号         r          d           nd         νd
物面         ∞         ∞
1        78.417      1.400      1.85478      24.80
2        46.016      6.200      1.49700      81.54
3       180.000      0.242
4        53.525      4.360      1.77250      49.60
5       257.344      可変
6       156.973      0.836      1.83481      42.71
7        10.600      6.576
8*      -21.718      0.800      1.85135      40.10
9*       37.963      3.485
10       152.990      2.850      2.00069      25.46
11       -33.700      可変
12(絞り)    ∞        可変
13*       17.740      4.255      1.80610      40.88
14*      885.283      4.794
15        28.326      1.156      1.85478      24.80
16         9.441      5.689      1.49700      81.54
17       -32.954      可変
18     -1200.813      0.600      1.51633      64.14
19        10.811      可変
20*       16.000      3.972      1.58313      59.38
21*      -32.000      1.332
22        89.056      0.686      1.91082      35.25
23        10.759      5.937      1.59282      68.63
24       -16.687      1.095
25          ∞        0.500      1.51633      64.14
26          ∞
像面         ∞
非球面データ
第８面
k=0.0000
A4=5.3488e-005,A6=-8.0252e-007,A8=1.7751e-009,
A10=0.0000e+000,A12=0.0000e+000
第９面
k=0.0000
A4=-3.0539e-006,A6=-9.1055e-007,A8=4.0810e-009,
A10=0.0000e+000,A12=0.0000e+000
第１３面
k=0.0000
A4=-2.3097e-006,A6=1.8119e-008,A8=-1.2268e-011,
A10=0.0000e+000,A12=0.0000e+000
第１４面
k=0.0000
A4=2.7548e-005,A6=0.0000e+000,A8=0.0000e+000,
A10=0.0000e+000,A12=0.0000e+000
第２０面
k=0.0000
A4=-6.8488e-005,A6=-5.5672e-008,A8=1.9498e-009,
A10=0.0000e+000,A12=0.0000e+000
第２１面
k=0.0000
A4=1.2770e-005,A6=2.6558e-023,A8=0.0000e+000,
A10=0.0000e+000,A12=0.0000e+000
ズームデータ
ＷＥ         ＳＴ         ＴＥ
ｆ(mm)          3.956       14.544       54.221
ＦＮＯ．        1.637        2.690        3.646
２ω           91.3         27.8          7.5
ＩＨ            3.65         3.65         3.65
ＬＴＬ        135.165      135.165      135.165
ＢＦ(mm)        4.795        4.795        4.795
d5              0.879       25.222       45.336
d11            45.780       21.437        1.323
d12            22.839        7.296        1.287
d17             2.103        5.663       19.451
d19             3.599       15.582        7.803
各群焦点距離
f1=84.89     f2=-12.10     f3=20.74     f4=-20.75     f5=16.27
【０３８１】
数値実施例１１
単位  ｍｍ
面データ
面番号         r          d           nd         νd
物面         ∞         ∞
1       243.515      1.400      1.80000      29.84
2        36.227      9.104      1.49700      81.54
3     -3770.163      0.142
4        47.688      5.650      1.88300      40.76
5      1065.342      可変
6      -798.882      0.800      1.75500      52.32
7        11.407      6.272
8*      -64.584      0.800      1.85135      40.10
9*       12.632      2.340
10        30.643      3.450      2.00069      25.46
11       -65.636      可変
12(絞り)    ∞        可変
13*       17.875      4.132      1.80610      40.88
14*     1079.792      4.587
15        21.261      0.553      1.85478      24.80
16         9.165      5.650      1.49700      81.54
17       -39.954      可変
18*      -33.009      1.366      1.51633      64.14
19*       10.200      可変
20*       11.740      5.000      1.59201      67.02
21*      -30.538      0.700
22        56.202      0.550      1.91082      35.25
23         8.600      6.306      1.59282      68.63
24       -17.000      1.344
25          ∞        0.500      1.51633      64.14
26          ∞
像面         ∞
非球面データ
第８面
k=0.0000
A4=2.1333e-004,A6=-5.7273e-006,A8=6.8151e-008,
A10=-4.1628e-010,A12=1.0339e-012
第９面
k=0.0000
A4=4.2826e-005,A6=-6.4395e-006,A8=8.3493e-008,
A10=-5.5514e-010,A12=1.4091e-012
第１３面
k=0.0000
A4=-1.2498e-005,A6=7.7352e-008,A8=-1.3419e-009,
A10=3.7183e-012,A12=-2.2084e-013
第１４面
k=0.0000
A4=1.4861e-005,A6=8.5805e-008,A8=-5.6752e-010,
A10=-3.7301e-011,A12=5.0346e-014
第１８面
k=0.0000
A4=3.8722e-004,A6=-1.0711e-005,A8=1.4156e-007,
A10=-5.8957e-010,A12=-2.5601e-012
第１９面
k=0.0000
A4=3.6419e-004,A6=-1.1035e-005,A8=5.7766e-008,
A10=1.8271e-009,A12=-2.4222e-011
第２０面
k=0.0000
A4=-9.5913e-006,A6=-3.2339e-007,A8=-6.0866e-008,
A10=1.5900e-009,A12=-2.2086e-011
第２１面
k=0.0000
A4=2.3047e-004,A6=-4.4458e-006,A8=7.4719e-008,
A10=-1.5001e-009,A12=5.2578e-012
ズームデータ
ＷＥ         ＳＴ         ＴＥ
ｆ(mm)          3.715       12.998       52.569
ＦＮＯ．        1.632        2.832        4.610
２ω           98.1         32.7          8.3
ＩＨ            4.00         4.00         4.00
ＬＴＬ        134.266      134.266      134.266
ＢＦ(mm)        5.173        5.173        5.173
d5              0.672       22.587       40.090
d11            40.716       18.801        1.298
d12            23.620        8.272        1.292
d17             1.797        6.383       21.614
d19             3.485       14.247        5.996
各群焦点距離
f1=75.12     f2=-11.05     f3=19.13     f4=-14.93    f5=14.10
【０３８２】
数値実施例１２
単位  ｍｍ
面データ
面番号         r          d           nd         νd
物面         ∞         ∞
1        96.913      1.600      1.92119      23.96
2        35.025      6.931      1.51633      64.14
3       275.273      0.250
4        42.405      4.600      1.91082      35.25
5       264.575      可変
6       264.575      0.950      1.78800      47.37
7        10.900      5.812
8*     -120.313      0.800      1.85135      40.10
9*       15.518      5.151
10        45.483      2.700      1.92286      20.88
11      -120.498      可変
12(絞り)    ∞        可変
13*       19.628      4.725      1.80610      40.88
14*     -850.000      5.541
15        28.431      0.650      1.85478      24.80
16        10.174      5.150      1.49700      81.54
17       -30.905      可変
18*      -58.733      0.700      1.58313      59.38
19*       11.744      可変
20*       13.004      3.800      1.58313      59.38
21       -25.125      0.500      1.60562      43.70
22      -850.000      3.500
23        18.320      0.600      2.00100      29.13
24         8.400      5.727      1.63854      55.38
25       -31.484      1.986
26          ∞        0.500      1.51633      64.14
27          ∞
像面         ∞
非球面データ
第８面
k=0.0000
A4=1.5897e-004,A6=-4.6243e-006,A8=6.0294e-008,
A10=-4.3744e-010,A12=1.4215e-012
第９面
k=0.0000
A4=5.4622e-005,A6=-4.8681e-006,A8=6.2006e-008,
A10=-4.3749e-010,A12=1.3677e-012
第１３面
k=0.0000
A4=-8.0152e-007,A6=-3.4395e-007,A8=9.0517e-009,
A10=-1.4953e-010,A12=9.3464e-013
第１４面
k=0.0000
A4=2.4705e-005,A6=-4.0759e-007,A8=1.0962e-008,
A10=-2.0152e-010,A12=1.4434e-012
第１８面
k=0.0000
A4=1.5541e-004,A6=-6.7393e-006,A8=2.3846e-007,
A10=-5.0744e-009,A12=5.5675e-011
第１９面
k=0.0000
A4=1.4156e-004,A6=-9.5105e-006,A8=3.6964e-007,
A10=-8.9290e-009,A12=1.0492e-010
第２０面
k=0.0000
A4=-4.0000e-005,A6=-8.0000e-007,A8=2.4500e-008,
A10=-4.0300e-010,A12=1.6334e-012,A14=9.5550e-015
ズームデータ
ＷＥ         ＳＴ         ＴＥ
ｆ(mm)          3.858       13.681       54.586
ＦＮＯ．        1.616        2.718        3.743
２ω           93.6         31.6          8.1
ＩＨ            3.90         3.90         3.90
ＬＴＬ        135.411      135.411      135.411
ＢＦ(mm)        5.816        5.816        5.816
d5              0.701       19.946       37.993
d11            38.792       19.547        1.500
d12            25.309        5.262        1.200
d17             1.806        8.048       22.220
d19             3.300       17.105        6.995
各群焦点距離
f1=69.54     f2=-10.66    f3=21.10     f4=-16.72     f5=15.54
【０３８３】
数値実施例１３
単位  ｍｍ
面データ
面番号         r          d           nd         νd
物面         ∞         ∞
1        96.456      1.589      1.92119      23.96
2        33.488      0.413
3        34.295      6.800      1.51633      64.14
4       217.717      0.250
5        41.416      4.764      1.91082      35.25
6       346.391      可変
7       371.527      0.950      1.78800      47.37
8        10.900      5.800
9*     -189.736      0.800      1.85135      40.10
10*       15.416      4.653
11        43.038      2.769      1.92286      20.88
12      -130.000      可変
13(絞り)    ∞        可変
14*       21.109      4.279      1.80610      40.88
15*     -580.407      5.759
16        25.990      0.650      1.85478      24.80
17        10.515      5.150      1.49700      81.54
18       -31.477      可変
19*      -47.449      0.898      1.58313      59.38
20*       12.359      可変
21*       13.380      3.800      1.58313      59.38
22*     -400.000      3.558
23        18.929      0.600      2.00100      29.13
24         8.400      6.414      1.61800      63.40
25       -26.140
像面         ∞
非球面データ
第９面
k=0.0000
A4=1.5920e-004,A6=-4.6919e-006,A8=6.0308e-008,
A10=-4.3960e-010,A12=1.4688e-012
第１０面
k=0.0000
A4=5.2509e-005,A6=-4.9113e-006,A8=6.0347e-008,
A10=-4.1628e-010,A12=1.3090e-012
第１４面
k=0.0000
A4=-1.0088e-006,A6=-3.7363e-007,A8=8.4108e-009,
A10=-1.5710e-010,A12=1.1456e-012
第１５面
k=0.0000
A4=2.0274e-005,A6=-4.3298e-007,A8=1.0041e-008,
A10=-2.0972e-010,A12=1.7329e-012
第１９面
k=0.0000
A4=1.4880e-004,A6=-6.9569e-006,A8=2.4539e-007,
A10=-4.6265e-009,A12=4.5653e-011
第２０面
k=0.0000
A4=1.4158e-004,A6=-1.0238e-005,A8=3.9174e-007,
A10=-8.3616e-009,A12=8.9175e-011
第２１面
k=0.0000
A4=4.2184e-005,A6=-1.9187e-006,A8=2.8465e-008,
A10=-3.7643e-010,A12=-3.9956e-013
第２２面
k=0.0000
A4=1.1645e-004,A6=-2.3843e-006,A8=4.2751e-008,
A10=-7.9965e-010,A12=3.5203e-012
ズームデータ
ＷＥ         ＳＴ         ＴＥ
ｆ(mm)          3.920       13.900       55.460
ＦＮＯ．        1.633        2.678        3.635
２ω           93.1         31.1          7.9
ＩＨ            3.90         3.90         3.90
ＬＴＬ        135.264      135.264      135.264
ＢＦ(mm)        6.061        6.061        6.061
d6              0.700       20.317       38.205
d12            38.905       19.288        1.400
d13            24.352        5.053        1.200
d18             1.892        8.146       21.502
d20             3.458       16.503        7.000
各群焦点距離
f1=68.35     f2=-10.76      f3=20.96     f4=-16.72     f5=15.78
【０３８４】
数値実施例１４
単位  ｍｍ
面データ
面番号         r          d           nd         νd
物面         ∞         ∞
1        96.913      1.600      1.92119      23.96
2        35.025      6.931      1.51633      64.14
3       275.273      0.250
4        42.405      4.600      1.91082      35.25
5       264.575      可変
6       264.575      0.950      1.78800      47.37
7        10.900      5.812
8*     -120.313      0.800      1.85135      40.10
9*       15.518      5.151
10        45.483      2.700      1.92286      20.88
11      -120.498      可変
12(絞り)    ∞        可変
13*       19.628      4.725      1.80610      40.88
14*     -850.000      5.541
15        28.431      0.650      1.85478      24.80
16        10.174      5.150      1.49700      81.54
17       -30.905      可変
18*      -58.733      0.700      1.58313      59.38
19*       11.744      3.300
20*       13.004      3.800      1.58313      59.38
21*     -850.000      3.800
22        18.320      0.600      2.00100      29.13
23         8.400      5.727      1.61800      63.40
24       -31.484
像面         ∞
非球面データ
第８面
k=0.0000
A4=1.5897e-004,A6=-4.6243e-006,A8=6.0294e-008,
A10=-4.3744e-010,A12=1.4215e-012
第９面
k=0.0000
A4=5.4622e-005,A6=-4.8681e-006,A8=6.2006e-008,
A10=-4.3749e-010,A12=1.3677e-012
第１３面
k=0.0000
A4=-8.0152e-007,A6=-3.4395e-007,A8=9.0517e-009,
A10=-1.4953e-010,A12=9.3464e-013
第１４面
k=0.0000
A4=2.4705e-005,A6=-4.0759e-007,A8=1.0962e-008,
A10=-2.0152e-010,A12=1.4434e-012
第１８面
k=0.0000
A4=1.5541e-004,A6=-6.7393e-006,A8=2.3846e-007,
A10=-5.0744e-009,A12=5.5675e-011
第１９面
k=0.0000
A4=1.4156e-004,A6=-9.5105e-006,A8=3.6964e-007,
A10=-8.9290e-009,A12=1.0492e-010
第２０面
k=0.0000
A4=2.1326e-005,A6=-1.5883e-006,A8=2.2701e-008,
A10=-3.9311e-010,A12=1.3883e-012
第２１面
k=0.0000
A4=8.9785e-005,A6=-2.2240e-006,A8=4.2912e-008,
A10=-8.1741e-010,A12=4.8550e-012
ズームデータ
ＷＥ         ＳＴ         ＴＥ
ｆ(mm)          3.920       12.513       53.868
ＦＮＯ．        1.731        2.334        3.694
２ω           88.0         30.9          7.4
ＩＨ            3.86         3.86         3.86
ＬＴＬ        135.267      121.686      131.638
ＢＦ(mm)        5.87        5.87        5.87
d5              0.700       19.944       37.993
d11            42.422        9.597        1.500
d12            21.682       15.217        1.200
d17             1.809        8.274       22.287
各群焦点距離
f1=69.54     f2=-10.66     f3=21.10     f4=32.96
fGI1=-16.72       fGI2=15.86
【０３８５】
次に、各実施例における条件式の値を以下に掲げる。条件式（１−１）の値、条件式（１−２）の値及び条件式（１−３）の値には、以下の（１）に記載された値が対応する。条件式（２−１）の値と条件式（２−２）の値には、以下の（２）に記載された値が対応する。条件式（４−１）の値と条件式（４−２）の値には、以下の（４）に記載された値が対応する。
実施例１     実施例２     実施例３
(1)|fG2/fw|                  2.743        2.293        2.383
(2)ΔSS/LTLw                 0            0            0
(3)fG2×PG1G2a               0.024        0.034        0.019
(4)fG1/fw                   19.486       12.706       14.274
(5)(LTLt-LTLw)/LTLw          0.000        0.000        0.000
(6)fG1/ft                    1.377        1.046        1.009
(7)|fG1/fG2|                 7.103        5.541        5.989
(8)fG3/fw                    5.458        3.146        3.808
(9)DTw                      -6.836       -6.178       -4.688
(10)νdG3P1                 81.54        68.63        81.54
(11)νdGI1N1                67.02        64.14        64.14
(12)fGI2SUB1/fGI2            1.365        1.169        1.198
(13)|fGI2SUB1/fGI1|          1.048        1.166        0.986
(14)DGI2SUB12a/fGI2          0.073        0.077        0.076
(15)DGI2SUB12a/fw            0.258        0.221        0.237
(16)|MGGI2SUB1back
×(MGGI2SUB1-1)|         0.600        0.683        0.600
(17)νdGI2SUB1P             59.38        81.54        67.02
(18)νdGI2SUB2N             32.32        18.9         20.88
(19)fG1/fG3                  3.570        4.039        3.748
(20)|fG3/fGI1|               1.194        1.095        1.002
(21)fG2/fGI1                 0.600        0.798        0.627
(22)|fG2/fG3|                0.503        0.729        0.626
(23)|fGI1/fGI2|              1.303        1.002        1.215
(24)fG1×PG1NPa              0.000        0.000        0.000
(25)fGI2SUB1/fw              4.790        3.350        3.747
(26)SFGI2SUB1               -0.477        0.247        0.254
(27)ΔG3M/LTLw               0.113        0.068        0.077
(28)ΩHw/2                  41.877       38.769       39.781
(29)ft/fw                   14.15        12.14        14.15
(30)FNOw                     1.62         1.51         1.48
(31)FNOt                     3.27         1.94         3.01
(32)ΣG1/LTLw                0.087        0.161        0.145
(33)ft/fw+143.9
×tan(ΩHw/2)-121.88     21.3          5.8         12.1
(34)ft/fw+126.52
×tan(ΩHw/2)-101.91     25.7         11.8         17.6
(35)Rimg                     3.8          3.6          3.8
実施例４     実施例５     実施例６
(1)|fG2/fw|                  2.569        2.721        2.732
(2)ΔSS/LTLw                 0            0            0
(3)fG2×PG1G2a              -0.008        0.004        0.002
(4)fG1/fw                   18.231       19.952       18.338
(5)(LTLt-LTLw)/LTLw          0.000        0.000        0.000
(6)fG1/ft                    1.288        1.383        1.269
(7)|fG1/fG2|                 7.097        7.334        6.712
(8)fG3/fw                    5.327        5.057        5.015
(9)DTw                      -6.364       -6.627       -7.162
(10)νdG3P1                 81.54        68.63        68.63
(11)νdGI1N1                63.85        67.02        81.54
(12)fGI2SUB1/fGI2            1.444        1.101        1.079
(13)|fGI2SUB1/fGI1|          1.131        1.004        0.874
(14)DGI2SUB12a/fGI2          0.190        0.034        0.067
(15)DGI2SUB12a/fw            0.662        0.133        0.265
(16)|MGGI2SUB1back
×(MGGI2SUB1-1)|         0.600        0.713        0.709
(17)νdGI2SUB1P             63.85        81.54        81.54
(18)νdGI2SUB2N             25.46        28.27        29.13
(19)fG1/fG3                  3.423        3.946        3.657
(20)|fG3/fGI1|               1.195        1.193        1.031
(21)fG2/fGI1                 0.576        0.642        0.562
(22)|fG2/fG3|                0.482        0.538        0.545
(23)|fGI1/fGI2|              1.277        1.097        1.234
(24)fG1×PG1NPa              0.000        0.000        0.000
(25)fGI2SUB1/fw              5.041        4.256        4.252
(26)SFGI2SUB1               -0.284       -0.379       -0.416
(27)ΔG3M/LTLw               0.100        0.173        0.170
(28)ΩHw/2                  41.987       44.936       44.098
(29)ft/fw                   14.15        14.43        14.45
(30)FNOw                     1.63         1.63         1.63
(31)FNOt                     3.90         4.55         3.75
(32)ΣG1/LTLw                0.106        0.120        0.119
(33)ft/fw+143.9
×tan(ΩHw/2)-121.88     21.8         36.1         32.0
(34)ft/fw+126.52
×tan(ΩHw/2)-101.91     26.1         38.8         35.1
(35)Rimg                     3.8          3.9          3.9
実施例７     実施例８     実施例９
(1)|fG2/fw|                  2.773        2.981        2.609
(2)ΔSS/LTLw                 0            0            0.065
(3)fG2×PG1G2a               0.000       -0.004       -0.010
(4)fG1/fw                   18.086       20.250       15.989
(5)(LTLt-LTLw)/LTLw          0.033        0.000        0.000
(6)fG1/ft                    0.903        1.408        1.130
(7)|fG1/fG2|                 6.523        6.794        6.128
(8)fG3/fw                    5.486        5.313        4.517
(9)DTw                      -6.744       -5.442       -6.592
(10)νdG3P1                 81.54        81.54        81.54
(11)νdGI1N1                59.38        81.54        64.14
(12)fGI2SUB1/fGI2            1.387        1.044        1.059
(13)|fGI2SUB1/fGI1|          1.316        0.957        1.041
(14)DGI2SUB12a/fGI2          0.240        0.050        0.051
(15)DGI2SUB12a/fw            0.988        0.188        0.173
(16)|MGGI2SUB1back
×(MGGI2SUB1-1)|         0.646        0.808        0.792
(17)νdGI2SUB1P             59.38        81.54        67.02
(18)νdGI2SUB2N             29.13        37.37        35.25
(19)fG1/fG3                  3.297        3.811        3.540
(20)|fG3/fGI1|               1.262        1.284        1.301
(21)fG2/fGI1                 0.638        0.720        0.752
(22)|fG2/fG3|                0.505        0.561        0.578
(23)|fGI1/fGI2|              1.054        1.090        1.017
(24)fG1×PG1NPa              0.000        0.000        0.000
(25)fGI2SUB1/fw              5.722        3.962        3.614
(26)SFGI2SUB1               -0.970       -0.319       -0.632
(27)ΔG3M/LTLw               0.183        0.165        0.130
(28)ΩHw/2                  43.477       44.624       42.624
(29)ft/fw                   20.03        14.38        14.15
(30)FNOw                     1.64         1.63         1.43
(31)FNOt                     3.98         3.82         3.99
(32)ΣG1/LTLw                0.099        0.117        0.123
(33)ft/fw+143.9
×tan(ΩHw/2)-121.88     34.6         34.5         24.7
(34)ft/fw+126.52
×tan(ΩHw/2)-101.91     38.1         37.3         28.7
(35)Rimg                     3.9          4.0          4.0
実施例１０   実施例１１   実施例１２
(1)|fG2/fw|                  3.058        2.976        2.763
(2)ΔSS/LTLw                 0            0            0
(3)fG2×PG1G2a               0.030       -0.024        0.000
(4)fG1/fw                   21.461       20.223       18.025
(5)(LTLt-LTLw)/LTLw          0.000        0.000        0.000
(6)fG1/ft                    1.566        1.429        1.274
(7)|fG1/fG2|                 7.018        6.796        6.523
(8)fG3/fw                    5.244        5.150        5.468
(9)DTw                      -9.801       -6.540       -5.123
(10)νdG3P1                 81.54        81.54        81.54
(11)νdGI1N1                64.14        64.14        59.38
(12)fGI2SUB1/fGI2            1.160        1.063        1.441
(13)|fGI2SUB1/fGI1|          0.909        1.004        1.339
(14)DGI2SUB12a/fGI2          0.082        0.050        0.225
(15)DGI2SUB12a/fw            0.337        0.188        0.907
(16)|MGGI2SUB1back
×(MGGI2SUB1-1)|         0.597        0.786        0.625
(17)νdGI2SUB1P             59.38        67.02        59.38
(18)νdGI2SUB2N             35.25        35.25        29.13
(19)fG1/fG3                  4.092        3.926        3.297
(20)|fG3/fGI1|               1.000        1.281        1.262
(21)fG2/fGI1                 0.583        0.740        0.638
(22)|fG2/fG3|                0.583        0.578        0.505
(23)|fGI1/fGI2|              1.276        1.059        1.076
(24)fG1×PG1NPa              0.000        0.000        0.000
(25)fGI2SUB1/fw              4.770        4.033        5.803
(26)SFGI2SUB1               -0.333       -0.445       -0.970
(27)ΔG3M/LTLw               0.159        0.166        0.178
(28)ΩHw/2                  41.728       45.127       42.887
(29)ft/fw                   13.71        14.15        14.15
(30)FNOw                     1.64         1.63         1.62
(31)FNOt                     3.65         4.61         3.74
(32)ΣG1/LTLw                0.090        0.121        0.099
(33)ft/fw+143.9
×tan(ΩHw/2)-121.88     20.2         36.8         25.9
(34)ft/fw+126.52
×tan(ΩHw/2)-101.91     24.6         39.3         29.8
(35)Rimg                     3.7          4.0          3.9
実施例１３   実施例１４
(1)|fG2/fw|                  2.744        2.720
(2)ΔSS/LTLw                 0            0
(3)fG2×PG1G2a              -0.002        0.000
(4)fG1/fw                   17.437       17.741
(5)(LTLt-LTLw)/LTLw          0.000       -0.027
(6)fG1/ft                    1.232        1.291
(7)|fG1/fG2|                 6.354        6.523
(8)fG3/fw                    5.348        5.382
(9)DTw                      -5.767       -5.774
(10)νdG3P1                 81.54        81.54
(11)νdGI1N1                59.38        59.38
(12)fGI2SUB1/fGI2            1.412        1.387
(13)|fGI2SUB1/fGI1|          1.332        1.316
(14)DGI2SUB12a/fGI2          0.226        0.240
(15)DGI2SUB12a/fw            0.908        0.969
(16)|MGGI2SUB1back
×(MGGI2SUB1-1)|         0.645        0.646
(17)νdGI2SUB1P             59.38        59.38
(18)νdGI2SUB2N             29.13        29.13
(19)fG1/fG3                  3.261        3.297
(20)|fG3/fGI1|               1.254        1.262
(21)fG2/fGI1                 0.643        0.638
(22)|fG2/fG3|                0.513        0.505
(23)|fGI1/fGI2|              1.060        1.054
(24)fG1×PG1NPa              0.048        0.000
(25)fGI2SUB1/fw              5.683        5.612
(26)SFGI2SUB1               -0.935       -0.970
(27)ΔG3M/LTLw               0.171        0.151
(28)ΩHw/2                  42.627       40.118
(29)ft/fw                   14.15        13.74
(30)FNOw                     1.63         1.73
(31)FNOt                     3.63         3.69
(32)ΣG1/LTLw                0.102        0.099
(33)ft/fw+143.9
×tan(ΩHw/2)-121.88     24.7         13.1
(34)ft/fw+126.52
×tan(ΩHw/2)-101.91     28.7         18.4
(35)Rimg                     3.9          3.6
【０３８６】
図２９は、電子撮像装置としての一眼ミラーレスカメラの断面図である。図２９において、一眼ミラーレスカメラ１の鏡筒内には撮影光学系２が配置され得る。マウント３は、撮影光学系２を一眼ミラーレスカメラ１のボディに着脱可能とする。マウント３としては、スクリュータイプのマウントやバヨネットタイプのマウント等が用いられ得る。この例では、バヨネットタイプのマウントを用いているが、それに限定されない。また、一眼ミラーレスカメラ１のボディには、撮像素子面４、バックモニタ５が配置されて得る。なお、撮像素子としては、撮像センサ、小型のＣＣＤ又はＣＭＯＳ等が用いられ得る。
【０３８７】
そして、一眼ミラーレスカメラ１の撮影光学系２として、例えば上記実施例１〜１４に示した変倍光学系が用いられ得る。
【０３８８】
図３０、図３１は、撮像装置の構成の概念図を示す。図３０は撮像装置としてのデジタルカメラ４０の前方斜視図、図３１は同後方斜視図である。このデジタルカメラ４０の撮影光学系４１に、本実施例の変倍光学系が用いられ得る。
【０３８９】
この実施形態のデジタルカメラ４０は、撮影用光路４２上に位置する撮影光学系４１、シャッターボタン４５、液晶表示モニター４７等を含み得る。デジタルカメラ４０の上部に配置されたシャッターボタン４５を押圧すると、それに連動して撮影光学系４１、例えば実施例１の変倍光学系を通して撮影が行われ得る。撮影光学系４１によって形成された物体像が、結像面近傍に設けられた撮像センサ（光電変換面）上に形成され得る。この撮像センサで受光された物体像は、プロセッサによって電子画像としてカメラ背面に設けられた液晶表示モニター４７に表示され得る。また、撮影された電子画像はメモリに記録することができる。
【０３９０】
図３２は、デジタルカメラ４０の主要部の内部回路を示すブロック図である。なお、以下の説明では、前述したプロセッサは、例えばＣＤＳ／ＡＤＣ２４、一時記憶メモリ１７、プロセッサ１８等で構成さ得る。メモリは、ストレージ１９等で構成され得る。
【０３９１】
図３２に示すように、デジタルカメラ４０は、入力デバイス１２と、この入力デバイス１２に接続された制御部１３と、この制御部１３の制御信号出力ポートにバス１４及び１５を介して接続された撮像駆動回路１６並びに一時記憶メモリ１７、プロセッサ１８、ストレージ１９、ディスプレイ２０、及び設定情報記憶メモリ２１を備え得る。
【０３９２】
上記の一時記憶メモリ１７、プロセッサ１８、ストレージ１９、ディスプレイ２０、及び設定情報記憶メモリ２１は、バス２２を介して相互にデータの入力、出力が可能とされている。また、撮像駆動回路１６には、撮像センサ４９とＣＤＳ／ＡＤＣ２４が接続され得る。
【０３９３】
入力デバイス１２は、各種の入力ボタンやスイッチを備え得る。これらを介して外部（カメラ使用者）から入力されるイベント情報を制御部１３に通知し得る。制御部１３は、例えばＣＰＵなどからなる中央演算処理装置であって、不図示のプログラムメモリを内蔵し、プログラムメモリに格納されているプログラムにしたがって、デジタルカメラ４０全体を制御し得る。
【０３９４】
撮像センサ４９は、撮像駆動回路１６により駆動制御され、撮影光学系４１を介して形成された物体像の画素ごとの光量を電気信号に変換し、ＣＤＳ／ＡＤＣ２４に出力し得る。
【０３９５】
ＣＤＳ／ＡＤＣ２４は、撮像センサ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力し得る回路である。
【０３９６】
一時記憶メモリ１７は、例えばＳＤＲＡＭ等からなるバッファであってよく、ＣＤＳ／ＡＤＣ２４から出力されるＲＡＷデータを一時的に記憶するメモリ装置であってよい。プロセッサ１８は、一時記憶メモリ１７に記憶されたＲＡＷデータ又はストレージ１９に記憶されているＲＡＷデータを読み出して、制御部１３にて指定された画質パラメータに基づいて歪曲収差補正を含む各種画像処理を電気的に行い得る回路である。
【０３９７】
ストレージ１９は、例えばフラッシュメモリ等からなるカード型又はスティック型の記録媒体を着脱自在に装着して、これらのフラッシュメモリに、一時記憶メモリ１７から転送されるＲＡＷデータやストレージ１８で画像処理された画像データを記録して保持し得る。
【０３９８】
ディスプレイ２０は、液晶表示モニター４７などにて構成され、撮影したＲＡＷデータ、画像データや操作メニューなどを表示し得る。設定情報記憶メモリ２１には、予め各種の画質パラメータが格納されているＲＯＭ部と、入力デバイス１２の入力操作によってＲＯＭ部から読み出された画質パラメータを記憶するＲＡＭ部が備えられ得る。
【０３９９】
図３３は、テレビ会議システムの構成を示している。テレビ会議システム１００は、複数のテレビ会議装置１１０、１２０、１３０を有し得る。そして、テレビ会議装置１１０、１２０、１３０の各々が、ネットワーク、例えば、ワイドエリアネットワーク（ＷＡＮ）１４０に接続され得る。
【０４００】
テレビ会議装置１１０は、本体１１１と、カメラ１１２と、ディスプレイ１１３と、を備え得る。同様に、テレビ会議装置１２０とテレビ会議装置１３０も、同様のユニットを備え得る。カメラ１１２は、例えば、実施例１の変倍光学系と撮像センサとを備え得る。カメラ１１２を通して、会議参加者や会議資料の撮影が行われ得る。
【０４０１】
テレビ会議装置１１０、１２０、１３０は、互いに離れた拠点（遠隔地）に配置され得る。そこで、会議参加者１１９，１２９，１３９の各々の映像は、ワイドエリアネットワーク（ＷＡＮ）１４０を介して、他の会議参加者が使用しているテレビ会議装置に送信され得る。その結果、ディスプレイ１１３には、会議参加者１２９の映像１２９’と会議参加者１３９の映像１３９’が表示され得る。また、映像の送信と共に音声も送信され得る。ディスプレイ１２３、１３３についても同様である。
【０４０２】
このように、テレビ会議システム１００を用いることで、お互いの拠点が遠隔地であっても、会議参加者１１４、１２４、１３４の各々は、自身以外の会議参加者の様子や発言内容を確認しながら、会議を進めることができる。なお、各拠点で用いるテレビ会議装置は、必ずしも同じ装置である必要はない。
【０４０３】
なお、本発明は、その趣旨を逸脱しない範囲で様々な変形例をとることができる。また、上記各実施例により示された形状枚数には必ずしも限定されない。また、上記各実施例において、カバーガラスは必ずしも配置しなくても良い。また、各レンズ群内又は各レンズ群外に、上記各実施例に図示されていないレンズであって実質的に屈折力を有さないレンズを配置してもよい。
【産業上の利用可能性】
【０４０４】
以上のように、本発明は、高い変倍比と広い画角を有し、広角端におけるＦナンバーが小さく諸収差が良好に補正された変倍光学系、及び高画質の画像が得られる撮像装置に適している。
【符号の説明】
【０４０５】
Ｇ１  第１レンズ群
Ｇ２  第２レンズ群
Ｇ３  第３レンズ群
Ｇ４  第４レンズ群
Ｇ５  第５レンズ群
ＧＩ  像側レンズ群
Ｓ  開口絞り
Ｉ  像面
１  一眼ミラーレスカメラ
２  撮影光学系
３  鏡筒のマウント部
４  撮像素子面
５  バックモニタ
１２  入力デバイス
１３  制御部
１４、１５  バス
１６  撮像駆動回路
１７  一時記憶メモリ
１８  プロセッサ
１９  ストレージ
２０  ディスプレイ
２１  設定情報記憶メモリ
２２  バス
２４  ＣＤＳ／ＡＤＣ
４０  デジタルカメラ
４１  撮影光学系
４２  撮影用光路
４５  シャッターボタン
４７  液晶表示モニター
４９  撮像センサ
１００  テレビ会議システム
１１０、１２０、１３０  テレビ会議装置
１１１、１２１、１３１  本体
１１２、１２２、１３２  カメラ
１１３、１２３、１３３  ディスプレイ
１１９、１２９、１３９  会議参加者
１１９’、１２９’、１３９’  会議参加者の映像
１４０  ワイドエリアネットワーク（ＷＡＮ）
【図１】
2017187629.tif 000004
【図２】
2017187629.tif 000005
【図３】
2017187629.tif 000006
【図４】
2017187629.tif 000007
【図５】
2017187629.tif 000008
【図６】
2017187629.tif 000009
【図７】
2017187629.tif 000010
【図８】
2017187629.tif 000011
【図９】
2017187629.tif 000012
【図１０】
2017187629.tif 000013
【図１１】
2017187629.tif 000014
【図１２】
2017187629.tif 000015
【図１３】
2017187629.tif 000016
【図１４】
2017187629.tif 000017
【図１５】
2017187629.tif 000018
【図１６】
2017187629.tif 000019
【図１７】
2017187629.tif 000020
【図１８】
2017187629.tif 000021
【図１９】
2017187629.tif 000022
【図２０】
2017187629.tif 000023
【図２１】
2017187629.tif 000024
【図２２】
2017187629.tif 000025
【図２３】
2017187629.tif 000026
【図２４】
2017187629.tif 000027
【図２５】
2017187629.tif 000028
【図２６】
2017187629.tif 000029
【図２７】
2017187629.tif 000030
【図２８】
2017187629.tif 000031
【図２９】
2017187629.tif 000032
【図３０】
2017187629.tif 000033
【図３１】
2017187629.tif 000034
【図３２】
2017187629.tif 000035
【図３３】
2017187629.tif 000036